(57)【特許請求の範囲】
【請求項１】
ＷＬＡＮ（ｗｉｒｅｌｅｓｓ  ｌｏｃａｌ  ａｒｅａ  ｎｅｔｗｏｒｋ）におけるフレームを送信する方法であって、前記方法は、
ＡＰ（ａｃｃｅｓｓ  ｐｏｉｎｔ）により、第１のチャネルを介して第１のＲＴＳ（Ｒｅｑｕｅｓｔ  ｔｏ  Ｓｅｎｄ）フレームを複数の第１のターゲットＳＴＡ（ｓｔａｔｉｏｎ）に送信することであって、前記第１のＲＴＳフレームは、複数のＳＴＡの中の複数の第１のターゲットＳＴＡの各々を指示する識別情報と、前記複数の第１のターゲットＳＴＡの各々に対して割り当てられた複数の第１のサブバンドの各々を指示するリソース割当情報とを含み、前記複数の第１のサブバンドは、前記第１のチャネルに含まれる、ことと、
前記ＡＰにより、前記第１のチャネルを介して前記第１のＲＴＳフレームに対する応答として第１のＣＴＳ（Ｃｌｅａｒ  ｔｏ  Ｓｅｎｄ）フレームを前記複数の第１のターゲットＳＴＡのうちの一つの第１のターゲットＳＴＡから受信することと、
前記第１のＣＴＳフレームが受信された後に、前記ＡＰにより、複数の第１のダウンリンクデータフレームを前記複数の第１のサブバンドを介して前記複数の第１のターゲットＳＴＡに送信することであって、前記複数の第１のダウンリンクデータフレームの各々は、前記複数の第１のターゲットＳＴＡの各々に対応する前記複数の第１のサブバンドの各々を介して送信される、ことと
を含む、方法。
【請求項２】
前記一つの第１のターゲットＳＴＡは、前記複数の第１のターゲットＳＴＡの各々に対応する識別情報の順序に基づいて決定される、請求項１に記載の方法。
【請求項３】
前記複数の第１のダウンリンクデータフレームを送信した後に、前記ＡＰにより、前記一つの第１のターゲットＳＴＡから第１のブロックＡＣＫ（ａｃｋｎｏｗｌｅｄｇｍｅｎｔ）フレームを受信することと、
前記ＡＰにより、前記複数の第１のターゲットＳＴＡのうちの前記一つの第１のターゲットＳＴＡを除外した残りの第１のターゲットＳＴＡの各々からＢＡＲ（ｂｌｏｃｋ  ａｃｋｎｏｗｌｅｄｇｅｍｅｎｔ  ｒｅｑｕｅｓｔ）フレームに対する応答として第２のブロックＡＣＫフレームを受信することと
をさらに含み、
前記第１のブロックＡＣＫフレームは、前記一つの第１のターゲットＳＴＡに対応する第１のダウンリンクデータフレームに対するＡＣＫ（ａｃｋｎｏｗｌｅｄｇｅｍｅｎｔ）情報を含み、
前記第２のブロックＡＣＫフレームは、前記残りのターゲットＳＴＡに対応する第１のダウンリンクデータフレームに対するＡＣＫ情報を含み、
前記一つの第１のターゲットＳＴＡは、前記複数の第１のターゲットＳＴＡの各々に対応する前記識別情報の順序に基づいて決定され得る、請求項１に記載の方法。
【請求項４】
前記ＡＰにより、前記第１のＲＴＳフレームの送信時間リソースと重なった重複時間リソース内で第２のチャネルを介して第２のＲＴＳフレームを複数の第２のターゲットＳＴＡに送信することであって、前記第２のＲＴＳフレームは、前記複数のＳＴＡの中の複数の第２のターゲットＳＴＡの各々を指示する識別情報と、前記複数の第２のターゲットＳＴＡの各々に対して割り当てられた複数の第２のサブバンドの各々を指示するリソース割当情報とを含み、前記複数の第２のサブバンドは、前記第２のチャネルに含まれる、ことと、
前記ＡＰにより、前記第２のチャネルを介して前記第１のＣＴＳフレームの受信時間リソースと重なった重複時間リソース内で前記第２のＲＴＳフレームに対する応答として第２のＣＴＳフレームを前記複数の第２のターゲットＳＴＡのうちの一つの第２のターゲットＳＴＡから受信することと、
前記第２のＣＴＳフレームが受信された後に、前記ＡＰにより、前記複数の第１のダウンリンクデータフレームに対応する送信時間リソースと重なった重複時間リソース内で複数の第２のダウンリンクデータフレームを前記複数の第２のサブバンドを介して前記複数の第２のターゲットＳＴＡに送信することと
をさらに含む、請求項１に記載の方法。
【請求項５】
ＷＬＡＮ（ｗｉｒｅｌｅｓｓ  ｌｏｃａｌ  ａｒｅａ  ｎｅｔｗｏｒｋ）におけるフレームを送信するＡＰ（ａｃｃｅｓｓ  ｐｏｉｎｔ）であって、前記ＡＰは、
無線信号を送信および／または受信するように構成されるＲＦ（ｒａｄｉｏ  ｆｒｅｑｕｅｎｃｙ）部と、
前記ＲＦ部と動作可能に連結されたプロセッサと
を含み、
前記プロセッサは、
第１のチャネルを介して第１のＲＴＳ（Ｒｅｑｕｅｓｔ  ｔｏ  Ｓｅｎｄ）フレームを複数の第１のターゲットＳＴＡ（ｓｔａｔｉｏｎ）に送信することであって、前記第１のＲＴＳフレームは、複数のＳＴＡの中の複数の第１のターゲットＳＴＡの各々を指示する識別情報と、前記複数の第１のターゲットＳＴＡの各々に対して割り当てられた複数の第１のサブバンドの各々を指示するリソース割当情報とを含み、前記複数の第１のサブバンドは、前記第１のチャネルに含まれる、ことと、
前記第１のチャネルを介して前記第１のＲＴＳフレームに対する応答として第１のＣＴＳ（Ｃｌｅａｒ  ｔｏ  Ｓｅｎｄ）フレームを前記複数の第１のターゲットＳＴＡのうちの一つの第１のターゲットＳＴＡから受信することと、
前記第１のＣＴＳフレームが受信された後に、複数の第１のダウンリンクデータフレームを前記複数の第１のサブバンドを介して前記複数の第１のターゲットＳＴＡに送信することであって、前記複数の第１のダウンリンクデータフレームの各々は、前記複数の第１のターゲットＳＴＡの各々に対応する前記複数の第１のサブバンドの各々を介して送信される、ことと
を実行するように構成される、ＡＰ。
【請求項６】
前記一つの第１のターゲットＳＴＡは、前記複数の第１のターゲットＳＴＡの各々に対応する識別情報の順序に基づいて決定される、請求項５に記載のＡＰ。
【請求項７】
前記プロセッサは、
前記複数の第１のダウンリンクデータフレームを送信した後に、前記一つの第１のターゲットＳＴＡから第１のブロックＡＣＫ（ａｃｋｎｏｗｌｅｄｇｍｅｎｔ）フレームを受信することと、
前記複数の第１のターゲットＳＴＡのうちの前記一つの第１のターゲットＳＴＡを除外した残りの第１のターゲットＳＴＡの各々からＢＡＲ（ｂｌｏｃｋ  ａｃｋｎｏｗｌｅｄｇｅｍｅｎｔ  ｒｅｑｕｅｓｔ）フレームに対する応答として第２のブロックＡＣＫフレームを受信することと
を実行するように構成され、
前記第１のブロックＡＣＫフレームは、前記一つの第１のターゲットＳＴＡに対応する第１のダウンリンクデータフレームに対するＡＣＫ（ａｃｋｎｏｗｌｅｄｇｅｍｅｎｔ）情報を含み、
前記第２のブロックＡＣＫフレームは、前記残りのターゲットＳＴＡに対応する第１のダウンリンクデータフレームに対するＡＣＫ情報を含み、
前記一つの第１のターゲットＳＴＡは、前記複数の第１のターゲットＳＴＡの各々に対応する前記識別情報の順序に基づいて決定され得る、請求項５に記載のＡＰ。
【請求項８】
前記プロセッサは、
前記第１のＲＴＳフレームの送信時間リソースと重なった重複時間リソース内で第２のチャネルを介して第２のＲＴＳフレームを複数の第２のターゲットＳＴＡに送信することであって、前記第２のＲＴＳフレームは、前記複数のＳＴＡの中の複数の第２のターゲットＳＴＡの各々を指示する識別情報と、前記複数の第２のターゲットＳＴＡの各々に対して割り当てられた複数の第２のサブバンドの各々を指示するリソース割当情報とを含み、前記複数の第２のサブバンドは、前記第２のチャネルに含まれる、ことと、
前記第２のチャネルを介して前記第１のＣＴＳフレームの受信時間リソースと重なった重複時間リソース内で前記第２のＲＴＳフレームに対する応答として第２のＣＴＳフレームを前記複数の第２のターゲットＳＴＡのうちの一つの第２のターゲットＳＴＡから受信することと、
前記第２のＣＴＳフレームが受信された後に、前記複数の第１のダウンリンクデータフレームに対応する送信時間リソースと重なった重複時間リソース内で複数の第２のダウンリンクデータフレームを前記複数の第２のサブバンドを介して前記複数の第２のターゲットＳＴＡに送信することと
を実行するようにさらに構成される、請求項５に記載のＡＰ。
【発明の詳細な説明】
【技術分野】
【０００１】
本発明は、無線通信に関し、より詳しくは、フレームを送信する方法及び装置に関する。
【背景技術】
【０００２】
既存の無線ＬＡＮシステムで使用可能なチャネル帯域幅が２０ＭＨｚから１６０ＭＨｚまで多様化した。それによって、送信端末と受信端末との間に通信のための適切なチャネル帯域幅を決定することがワイパイ性能を決定するのに重要な要因になった。
【０００３】
送信端末と受信端末との間に通信のための適切なチャネル帯域幅を決定するために、ＩＥＥＥ８０２．１１ａｃからは、ＲＴＳ（ｒｅｑｕｅｓｔ  ｔｏ  ｓｅｎｄ）フレーム及びＣＴＳ（ｃｌｅａｒ  ｔｏ  ｓｅｎｄ）フレームに基づく動的チャネル帯域幅設定プロトコルが開発された。初期ＲＴＳフレーム及びＣＴＳフレームは、隠れノード（ｈｉｄｄｅｎ  ｎｏｄｅ）問題、データフレーム衝突オーバーヘッドを減らすために考案された。送信端末がデータフレームを送信する前に受信端末にＲＴＳフレームを送信する。ＲＴＳフレームを受信した宛先端末は、ＣＴＳフレームとして送信端末に応答する。ＲＴＳフレーム及びＣＴＳコントロールフレームを受信した第３の端末は、以後に送信されるデータフレームの保護のために媒体接続を一定時間遅延することができる。
【０００４】
ＩＥＥＥ８０２．１１ａｃからサポートされる動的チャネル帯域幅設定プロトコルを見ると、送信端末は、ＲＴＳフレームを２０ＭＨｚチャネル帯域幅を超過する広帯域に送信し、宛先端末は、現在自分が使用可能なチャネル帯域幅に合わせてＣＴＳフレームを応答することができる。例えば、送信端末が１６０ＭＨｚチャネル帯域幅を使用することを所望する場合、ＲＴＳフレームを１６０ＭＨｚチャネル帯域幅で送信するようになる。宛先端末で現在使用可能なチャネル帯域幅が８０ＭＨｚの場合、宛先端末は、８０ＭＨｚチャネル帯域幅にＣＴＳフレームを送信するようになる。ＲＴＳフレームを送信した送信端末が８０ＭＨｚのチャネル帯域幅にＣＴＳフレームの受信を受ける場合、送信端末により以後にターゲット端末に送信されるデータフレームは、８０ＭＨｚチャネル帯域幅より小さいまたは同じでなければならない。
【発明の概要】
【発明が解決しようとする課題】
【０００５】
本発明の目的は、フレームを送信する方法を提供することである。
【０００６】
本発明の他の目的は、フレームを送信する装置を提供することである。
【課題を解決するための手段】
【０００７】
前述した本発明の目的を達成するための本発明の一側面による無線ＬＡＮにおけるフレームを送信する方法は、ＡＰ（ａｃｃｅｓｓ  ｐｏｉｎｔ）が第１のチャネルを介して第１のＲＴＳ（ｒｅｑｕｅｓｔ  ｔｏ  ｓｅｎｄ）フレームを複数の第１のターゲットＳＴＡに送信するステップ、前記ＡＰが前記第１のチャネルを介して前記第１のＲＴＳフレームに対する応答として第１のＣＴＳ（ｃｌｅａｒ  ｔｏ  ｓｅｎｄ）フレームを前記複数の第１のターゲットＳＴＡのうち一つの第１のターゲットＳＴＡから受信するステップ、及び前記ＡＰが前記複数の第１のターゲットＳＴＡの各々に対する複数の第１のダウンリンクデータの各々を一つの第１のデータフレーム上で前記第１のチャネルに含まれる複数の第１のサブバンドの各々を介して前記複数の第１のターゲットＳＴＡの各々に送信するステップを含み、前記第１のＲＴＳフレームは、前記複数の第１のターゲットＳＴＡの各々に対する識別情報を含む。
【０００８】
前述した本発明の目的を達成するための本発明の他の側面による無線ＬＡＮにおけるフレームを送信するＡＰ（ａｃｃｅｓｓ  ｐｏｉｎｔ）は、無線信号を送信または受信するために具現されるＲＦ（ｒａｄｉｏ  ｆｒｅｑｕｅｎｃｙ）部及び前記ＲＦ部と動作可能に（ｏｐｅｒａｔｉｖｅｌｙ）連結されたプロセッサを含み、前記プロセッサは、第１のチャネルを介して第１のＲＴＳ（ｒｅｑｕｅｓｔ  ｔｏ  ｓｅｎｄ）フレームを複数の第１のターゲットＳＴＡに送信し、前記第１のチャネルを介して前記第１のＲＴＳフレームに対する応答として第１のＣＴＳ（ｃｌｅａｒ  ｔｏ  ｓｅｎｄ）フレームを前記複数の第１のターゲットＳＴＡのうち一つの第１のターゲットＳＴＡから受信し、前記複数の第１のターゲットＳＴＡの各々に対する複数の第１のダウンリンクデータの各々を一つの第１のデータフレーム上で前記第１のチャネルに含まれる複数の第１のサブバンドの各々を介して前記複数の第１のターゲットＳＴＡの各々に送信するように具現され、前記第１のＲＴＳフレームは、前記複数の第１のターゲットＳＴＡの各々に対する識別情報を含む。
本明細書は、例えば、以下の項目も提供する。
（項目１）
無線ＬＡＮにおけるフレームを送信する方法は、
ＡＰ（ａｃｃｅｓｓ  ｐｏｉｎｔ）が第１のチャネルを介して第１のＲＴＳ（ｒｅｑｕｅｓｔ  ｔｏ  ｓｅｎｄ）フレームを複数の第１のターゲットＳＴＡに送信するステップ；
前記ＡＰが前記第１のチャネルを介して前記第１のＲＴＳフレームに対する応答として第１のＣＴＳ（ｃｌｅａｒ  ｔｏ  ｓｅｎｄ）フレームを前記複数の第１のターゲットＳＴＡのうち一つの第１のターゲットＳＴＡから受信するステップ；及び、
前記ＡＰが前記複数の第１のターゲットＳＴＡの各々に対する複数の第１のダウンリンクデータの各々を一つの第１のデータフレーム上で前記第１のチャネルに含まれる複数の第１のサブバンドの各々を介して前記複数の第１のターゲットＳＴＡの各々に送信するステップ；を含み、
前記第１のＲＴＳフレームは、前記複数の第１のターゲットＳＴＡの各々に対する識別情報を含む方法。
（項目２）
前記一つの第１のターゲットＳＴＡは、前記複数の第１のターゲットＳＴＡの各々に対する識別情報の順序に基づいて決定されることを特徴とする項目１に記載の方法。
（項目３）
前記ＡＰが前記一つの第１のデータフレームの送信後、前記一つの第１のターゲットＳＴＡから第１のブロックＡＣＫフレームを受信するステップ；及び、
前記ＡＰが前記複数の第１のターゲットＳＴＡのうち前記一つの第１のターゲットＳＴＡを除外した残りの第１のターゲットＳＴＡの各々からＢＡＲ（ｂｌｏｃｋ  ａｃｋｎｏｗｌｅｄｇｅｍｅｎｔ  ｒｅｑｕｅｓｔ）フレームに対する応答として第２のブロックＡＣＫフレームを受信するステップをさらに含み、
前記第１のブロックＡＣＫフレームは、前記複数の第１のダウンリンクデータのうち前記一つの第１のターゲットＳＴＡに対する第１のダウンリンクデータに対するＡＣＫ（ａｃｋｎｏｗｌｅｄｇｅｍｅｎｔ）情報を含み、
前記第２のブロックＡＣＫフレームは、前記複数の第１のダウンリンクデータのうち前記残りのターゲットＳＴＡに対する第１のダウンリンクデータに対するＡＣＫ情報を含み、
前記一つの第１のターゲットＳＴＡは、前記複数の第１のターゲットＳＴＡの各々に対する識別情報の順序に基づいて決定されることを特徴とする項目１に記載の方法。
（項目４）
前記第１のＲＴＳフレームは、前記複数の第１のターゲットＳＴＡの各々に割り当てられた前記複数の第１のサブバンドの各々に対する情報をさらに含むことを特徴とする項目１に記載の方法。
（項目５）
前記ＡＰが前記第１のＲＴＳフレームの送信時間リソースと重なった時間リソース上で第２のチャネルを介して第２のＲＴＳフレームを複数の第２のターゲットＳＴＡに送信するステップ；
前記ＡＰが前記第２のチャネルを介して前記第１のＣＴＳフレームの受信時間リソースと重なった時間リソース上で前記第２のＲＴＳフレームに対する応答として第２のＣＴＳフレームを前記複数の第２のターゲットＳＴＡのうち一つの第２のターゲットＳＴＡから受信するステップ；及び、
前記ＡＰが前記複数の第１のダウンリンクデータの各々の送信時間リソースと重なった時間リソース上で前記複数の第２のターゲットＳＴＡの各々に対する複数の第２のダウンリンクデータの各々を一つの第２のデータフレーム上で前記第２のチャネルに含まれる複数の第２のサブバンドの各々を介して前記複数の第２のターゲットＳＴＡの各々に送信するステップ；をさらに含み、
前記第２のＲＴＳフレームは、前記複数の第２のターゲットＳＴＡの各々に対する識別情報を含むことを特徴とする項目１に記載の方法。
（項目６）
無線ＬＡＮにおけるフレームを送信するＡＰ（ａｃｃｅｓｓ  ｐｏｉｎｔ）において、前記ＡＰは、
無線信号を送信または受信するために具現されるＲＦ（ｒａｄｉｏ  ｆｒｅｑｕｅｎｃｙ）部；及び、
前記ＲＦ部と動作可能に（ｏｐｅｒａｔｉｖｅｌｙ）連結されたプロセッサ；を含み、
前記プロセッサは、第１のチャネルを介して第１のＲＴＳ（ｒｅｑｕｅｓｔ  ｔｏ  ｓｅｎｄ）フレームを複数の第１のターゲットＳＴＡに送信し、
前記第１のチャネルを介して前記第１のＲＴＳフレームに対する応答として第１のＣＴＳ（ｃｌｅａｒ  ｔｏ  ｓｅｎｄ）フレームを前記複数の第１のターゲットＳＴＡのうち一つの第１のターゲットＳＴＡから受信し、
前記複数の第１のターゲットＳＴＡの各々に対する複数の第１のダウンリンクデータの各々を一つの第１のデータフレーム上で前記第１のチャネルに含まれる複数の第１のサブバンドの各々を介して前記複数の第１のターゲットＳＴＡの各々に送信するように具現され、
前記第１のＲＴＳフレームは、前記複数の第１のターゲットＳＴＡの各々に対する識別情報を含むＡＰ。
（項目７）
前記一つの第１のターゲットＳＴＡは、前記複数の第１のターゲットＳＴＡの各々に対する識別情報の順序に基づいて決定されることを特徴とする項目６に記載のＡＰ。
（項目８）
前記プロセッサは、前記一つの第１のデータフレームの送信後、前記一つの第１のターゲットＳＴＡから第１のブロックＡＣＫフレームを受信し、
前記複数の第１のターゲットＳＴＡのうち前記一つの第１のターゲットＳＴＡを除外した残りの第１のターゲットＳＴＡの各々からＢＡＲ（ｂｌｏｃｋ  ａｃｋｎｏｗｌｅｄｇｅｍｅｎｔ  ｒｅｑｕｅｓｔ）フレームに対する応答として第２のブロックＡＣＫフレームを受信するように具現され、
前記第１のブロックＡＣＫフレームは、前記複数の第１のダウンリンクデータのうち前記一つの第１のターゲットＳＴＡに対する第１のダウンリンクデータに対するＡＣＫ（ａｃｋｎｏｗｌｅｄｇｅｍｅｎｔ）情報を含み、
前記第２のブロックＡＣＫフレームは、前記複数の第１のダウンリンクデータのうち前記残りのターゲットＳＴＡに対する第１のダウンリンクデータに対するＡＣＫ情報を含み、
前記一つの第１のターゲットＳＴＡは、前記複数の第１のターゲットＳＴＡの各々に対する識別情報の順序に基づいて決定されることを特徴とする項目６に記載のＡＰ。
（項目９）
前記第１のＲＴＳフレームは、前記複数の第１のターゲットＳＴＡの各々に割り当てられた前記複数の第１のサブバンドの各々に対する情報をさらに含むことを特徴とする項目６に記載のＡＰ。
（項目１０）
前記プロセッサは、前記第１のＲＴＳフレームの送信時間リソースと重なった時間リソース上で第２のチャネルを介して第２のＲＴＳフレームを複数の第２のターゲットＳＴＡに送信し、
前記第２のチャネルを介して前記第１のＣＴＳフレームの受信時間リソースと重なった時間リソース上で前記第２のＲＴＳフレームに対する応答として第２のＣＴＳフレームを前記複数の第２のターゲットＳＴＡのうち一つの第２のターゲットＳＴＡから受信し、
前記複数の第１のダウンリンクデータの各々の送信時間リソースと重なった時間リソース上で前記複数の第２のターゲットＳＴＡの各々に対する複数の第２のダウンリンクデータの各々を一つの第２のデータフレーム上で前記第２のチャネルに含まれる複数の第２のサブバンドの各々を介して前記複数の第２のターゲットＳＴＡの各々に送信するように具現され、
前記第２のＲＴＳフレームは、前記複数の第２のターゲットＳＴＡの各々に対する識別情報を含むことを特徴とする項目６に記載のＡＰ。
【発明の効果】
【０００９】
複数のＳＴＡに対するダウンリンクフレームの送信前、ＲＴＳフレーム及びＣＴＳフレームの送信手順に基づいて媒体保護手順が実行されることができる。したがって、フレーム間衝突可能性が減って無線ＬＡＮ送信効率が増加することができる。
【図面の簡単な説明】
【００１０】
【図１】無線ＬＡＮ（ｗｉｒｅｌｅｓｓ  ｌｏｃａｌ  ａｒｅａ  ｎｅｔｗｏｒｋ、ＷＬＡＮ）の構造を示す概念図である。
【図２】隠れノード問題（ｈｉｄｄｅｎ  ｎｏｄｅ  ｉｓｓｕｅ）及びさらしノード問題（ｅｘｐｏｓｅｄ  ｎｏｄｅ  ｉｓｓｕｅ）を解決するためにＲＴＳフレーム及びＣＴＳフレームを使用する方法を示す概念図である。
【図３】Ａ−ＭＳＤＵを示す概念図である。
【図４】Ａ−ＭＰＤＵを示す概念図である。
【図５】ブロックＡＣＫ動作（ｏｐｅｒａｔｉｏｎ）を示す。
【図６】本発明の実施例に係る媒体保護に基づくＤＬ  ＭＵ  ＯＦＤＭＡ送信方法を示す概念図である。
【図７】本発明の実施例に係る媒体保護に基づくＤＬ  ＭＵ  ＯＦＤＭＡ送信方法を示す概念図である。
【図８】本発明の実施例に係る媒体保護に基づくＤＬ  ＭＵ  ＯＦＤＭＡ送信方法を示す概念図である。
【図９】本発明の実施例に係る媒体保護に基づくＤＬ  ＭＵ  ＯＦＤＭＡ送信方法を示す概念図である。
【図１０】本発明の実施例に係るフレームの送信のためのＰＰＤＵフォーマットを示す概念図である。
【図１１】本発明の実施例に係るＲＴＳフレームフォーマットを示す概念図である。
【図１２】本発明の実施例が適用されることができる無線装置を示すブロック図である。
【発明を実施するための形態】
【００１１】
図１は、無線ＬＡＮ（ｗｉｒｅｌｅｓｓ  ｌｏｃａｌ  ａｒｅａ  ｎｅｔｗｏｒｋ、ＷＬＡＮ）の構造を示す概念図である。
【００１２】
図１の上段は、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃ  ｅｎｇｉｎｅｅｒｓ）８０２．１１のインフラストラクチャネットワーク（ｉｎｆｒａｓｔｒｕｃｔｕｒｅ  ｎｅｔｗｏｒｋ）の構造を示す。
【００１３】
図１の上段を参照すると、無線ＬＡＮシステムは、一つまたはそれ以上の基本サービスセット（Ｂａｓｉｃ  Ｓｅｒｖｉｃｅ  Ｓｅｔ、ＢＳＳ）１００、１０５を含むことができる。ＢＳＳ１００、１０５は、成功的に同期化されて互いに通信できるＡＰ（ａｃｃｅｓｓ  ｐｏｉｎｔ）１２５及びＳＴＡ１（Ｓｔａｔｉｏｎ）１００−１のようなＡＰとＳＴＡのセットであり、特定領域を示す概念ではない。ＢＳＳ１０５は、一つのＡＰ１３０に一つ以上の結合可能なＳＴＡ１０５−１、１０５−２を含むこともできる。
【００１４】
インフラストラクチャＢＳＳは、少なくとも一つのＳＴＡ、分散サービス（Ｄｉｓｔｒｉｂｕｔｉｏｎ  Ｓｅｒｖｉｃｅ）を提供するＡＰ１２５、１３０及び複数のＡＰを連結させる分散システム（Ｄｉｓｔｒｉｂｕｔｉｏｎ  Ｓｙｓｔｅｍ、ＤＳ）１１０を含むことができる。
【００１５】
分散システム１１０は、複数のＢＳＳ１００、１０５を連結して拡張されたサービスセットであるＥＳＳ（ｅｘｔｅｎｄｅｄ  ｓｅｒｖｉｃｅ  ｓｅｔ）１４０を具現することができる。ＥＳＳ１４０は、一つまたは複数個のＡＰ１２５、２３０が分散システム１１０を介して連結されて構成された一つのネットワークを指示する用語として使われることができる。一つのＥＳＳ１４０に含まれるＡＰは、同じＳＳＩＤ（ｓｅｒｖｉｃｅ  ｓｅｔ  ｉｄｅｎｔｉｆｉｃａｔｉｏｎ）を有することができる。
【００１６】
ポータル（ｐｏｒｔａｌ）１２０は、無線ＬＡＮネットワーク（ＩＥＥＥ８０２．１１）と他のネットワーク（例えば、８０２．Ｘ）との連結を実行するブリッジ役割を遂行することができる。
【００１７】
図１の上段のようなインフラストラクチャネットワークでは、ＡＰ１２５、１３０間のネットワーク及びＡＰ１２５、１３０とＳＴＡ１００−１、１０５−１、１０５−２との間のネットワークが具現されることができる。しかし、ＡＰ１２５、１３０無しでＳＴＡ間でもネットワークを設定して通信を実行することも可能である。ＡＰ１２５、１３０無しでＳＴＡ間でもネットワークを設定して通信を実行するネットワークをアドホックネットワーク（Ａｄ−Ｈｏｃ  ｎｅｔｗｏｒｋ）または独立ＢＳＳ（ｉｎｄｅｐｅｎｄｅｎｔ  ｂａｓｉｃ  ｓｅｒｖｉｃｅ  ｓｅｔ）と定義する。
【００１８】
図１の下段は、独立ＢＳＳを示す概念図である。
【００１９】
図１の下段を参照すると、独立ＢＳＳ（ｉｎｄｅｐｅｎｄｅｎｔ  ＢＳＳ、ＩＢＳＳ）は、アドホックモードで動作するＢＳＳである。ＩＢＳＳは、ＡＰを含まないため、中央で管理機能を遂行するエンティティ（ｃｅｎｔｒａｌｉｚｅｄ  ｍａｎａｇｅｍｅｎｔ  ｅｎｔｉｔｙ）がない。即ち、ＩＢＳＳにおいて、ＳＴＡ１５０−１、１５０−２、１５０−３、１５５−１、１５５−２は、分散された方式（ｄｉｓｔｒｉｂｕｔｅｄ  ｍａｎｎｅｒ）に管理される。ＩＢＳＳにおいて、全てのＳＴＡ１５０−１、１５０−２、１５０−３、１５５−１、１５５−２は、移動ＳＴＡからなることができ、分散システムへの接続が許容されなくて自己完備的ネットワーク（ｓｅｌｆ−ｃｏｎｔａｉｎｅｄ  ｎｅｔｗｏｒｋ）を構築する。
【００２０】
ＳＴＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１標準の規定に従う媒体接続制御（Ｍｅｄｉｕｍ  Ａｃｃｅｓｓ  Ｃｏｎｔｒｏｌ、ＭＡＣ）と無線媒体に対する物理階層（Ｐｈｙｓｉｃａｌ  Ｌａｙｅｒ）インターフェースを含む任意の機能媒体であり、広義では、ＡＰと非ＡＰ  ＳＴＡ（Ｎｏｎ−ＡＰ  Ｓｔａｔｉｏｎ）を両方とも含む意味として使われることができる。
【００２１】
ＳＴＡは、移動端末（ｍｏｂｉｌｅ  ｔｅｒｍｉｎａｌ）、無線機器（ｗｉｒｅｌｅｓｓ  ｄｅｖｉｃｅ）、無線送受信ユニット（Ｗｉｒｅｌｅｓｓ  Ｔｒａｎｓｍｉｔ／Ｒｅｃｅｉｖｅ  Ｕｎｉｔ；ＷＴＲＵ）、ユーザ装備（Ｕｓｅｒ  Ｅｑｕｉｐｍｅｎｔ；ＵＥ）、移動局（Ｍｏｂｉｌｅ  Ｓｔａｔｉｏｎ；ＭＳ）、モバイル加入者ユニット（Ｍｏｂｉｌｅ  Ｓｕｂｓｃｒｉｂｅｒ  Ｕｎｉｔ）または単純にユーザ（ｕｓｅｒ）などの多様な名称で呼ばれることもある。
【００２２】
無線ＬＡＮ（ｗｉｒｅｌｅｓｓ  ｌｏｃａｌ  ａｒｅａ  ｎｅｔｗｏｒｋ、ＷＬＡＮ）システムで動作するＡＰ（ａｃｃｅｓｓ  ｐｏｉｎｔ）は、複数のＳＴＡ（ｓｔａｔｉｏｎ）の各々に同じ時間リソースを介してデータを送信することができる。ＡＰからＳＴＡへの送信をダウンリンク送信という場合、このようなＡＰの複数のＳＴＡの各々への送信は、ＤＬ  ＭＵ送信（ｄｏｗｎｌｉｎｋ  ｍｕｌｔｉ−ｕｓｅｒ  ｔｒａｎｓｍｉｓｓｉｏｎ）（または、ダウンリンクマルチユーザ送信）という用語で表現できる。
【００２３】
図２は、隠れノード問題（ｈｉｄｄｅｎ  ｎｏｄｅ  ｉｓｓｕｅ）及びさらしノード問題（ｅｘｐｏｓｅｄ  ｎｏｄｅ  ｉｓｓｕｅ）を解決するためにＲＴＳフレーム及びＣＴＳフレームを使用する方法を示す概念図である。
【００２４】
図２を参照すると、隠れノード問題（ｈｉｄｄｅｎ  ｎｏｄｅ  ｉｓｓｕｅ）及びさらしノード問題（ｅｘｐｏｓｅｄ  ｎｏｄｅ  ｉｓｓｕｅ）を解決するために、ＲＴＳ（ｒｅｑｕｅｓｔ  ｔｏ  ｓｅｎｄ）フレームとＣＴＳ（ｃｌｅａｒ  ｔｏ  ｓｅｎｄ）フレームなどの短い信号送信フレーム（ｓｈｏｒｔ  ｓｉｇｎａｌｉｎｇ  ｆｒａｍｅ）が使われることができる。周辺ＳＴＡは、ＲＴＳフレーム及びＣＴＳフレームに基づいて二つのＳＴＡ間のデータ送信または受信可否に対して知ることができる。
【００２５】
図２の（Ａ）は、隠れノード問題（ｈｉｄｄｅｎ  ｎｏｄｅ  ｉｓｓｕｅ）を解決するために、ＲＴＳフレーム２０３及びＣＴＳフレーム２０５を送信する方法を示す。
【００２６】
ＳＴＡ  Ａ２００とＳＴＡ  Ｃ２２０の両方ともがＳＴＡ  Ｂ２１０にデータフレームを送信しようとする場合を仮定することができる。ＳＴＡ  Ａ２００は、データフレームの送信前、ＲＴＳフレーム２０３をＳＴＡ  Ｂ２１０に送信し、ＳＴＡ  Ｂ２１０は、ＣＴＳフレーム２０５をＳＴＡ  Ａ２００に送信することができる。ＳＴＡ  Ｃ２２０は、ＣＴＳフレーム２０５をオーバーヒアすることで、媒体を介したＳＴＡ  Ａ２００からＳＴＡ  Ｂ２１０へのフレームの送信を知ることができる。ＳＴＡ  Ｃ２２０は、ＳＴＡ  Ａ２００からＳＴＡ  Ｂ２１０へのデータフレームの送信が終わる時まで、ＮＡＶ（ｎｅｔｗｏｒｋ  ａｌｌｏｃａｔｉｏｎ  ｖｅｃｔｏｒ）を設定することができる。このような方法を使用することによって、隠れノードによるフレーム間の衝突（ｃｏｌｌｉｓｉｏｎ）が防止されることができる。
【００２７】
図２の（Ｂ）は、さらしノード問題（ｅｘｐｏｓｅｄ  ｎｏｄｅ  ｉｓｓｕｅ）を解決するために、ＲＴＳフレーム２３３及びＣＴＳフレーム２３５を送信する方法を示す。
【００２８】
ＳＴＡ  Ｃ２５０は、ＳＴＡ  Ａ２３０とＳＴＡ  Ｂ２４０のＲＴＳフレーム２３３及びＣＴＳフレーム２３５のモニタリングに基づいて他のＳＴＡ  Ｄ２６０にフレームを送信する時、衝突可否に対して決定できる。
【００２９】
ＳＴＡ  Ｂ２４０は、ＳＴＡ  Ａ２３０にＲＴＳフレーム２３３を送信し、ＳＴＡ  Ａ２３０は、ＣＴＳフレーム２３５をＳＴＡ  Ｂ２４０に送信することができる。ＳＴＡ  Ｃ２５０は、ＳＴＡ  Ｂ２４０により送信されたＲＴＳフレーム２３３のみをオーバーヒアし、ＳＴＡ  Ａ２３０により送信されたＣＴＳフレーム２３５をオーバーヒアすることができなかった。したがって、ＳＴＡ  Ｃ２５０は、ＳＴＡ  Ａ２３０がＳＴＡ  Ｃ２５０のキャリアセンシング範囲（ｃａｒｒｉｅｒ  ｓｅｎｓｉｎｇ  ｒａｎｇｅ）外にあるということを知ることができる。したがって、ＳＴＡ  Ｃ２５０は、ＳＴＡ  Ｄ２６０にデータを送信することができる。
【００３０】
ＲＴＳ  ｆｒａｍｅ  ｆｏｒｍａｔとＣＴＳ  ｆｒａｍｅ  ｆｏｒｍａｔに対してはＩＥＥＥ  Ｐ８０２．１１−ＲＥＶｍｃＴＭ／Ｄ２．０、Ｏｃｔｏｂｅｒ２０１３の８．３．１．２  ＲＴＳ  ｆｒａｍｅ  ｆｏｒｍａｔ及び８．３．１．３  ＣＴＳ  ｆｒａｍｅ  ｆｏｒｍａｔに開示されている。
【００３１】
図３は、Ａ−ＭＳＤＵを示す概念図である。
【００３２】
ＩＥＥＥ８０２．１１ｎにおいて、ＭＡＣエラーオーバーヘッドを減らすためにデータフレームをアグリゲーション（ａｇｇｒｅｇａｔｉｏｎ）する方法が定義された。データフレームのアグリゲーションのためにアプリケーション階層で生成されたＭＳＤＵ（ＭＡＣ  ｓｅｒｖｉｃｅ  ｄａｔａ  ｕｎｉｔ）３００は、ＭＡＣ階層の上位階層でアグリゲーションされて一つのＭＳＤＵとして生成されることができる。ＭＡＣ階層の上位階層でアグリゲーションされたＭＳＤＵは、Ａ−ＭＳＤＵ（ａｇｇｒｅｇａｔｅ−ＭＳＤＵ）３５０という用語で定義されることができる。Ａ−ＭＳＤＵ３５０は、優先順位が同じであり、同じＲＡ（ｒｅｃｅｉｖｅｒ  ａｄｄｒｅｓｓ）を有する多数のＭＳＤＵ３００のアグリゲーションに基づいて生成されることができる。
【００３３】
各ＭＳＤＵ３００は、宛先アドレス（ｄｅｓｔｉｎａｔｉｏｎ  ａｄｄｒｅｓｓ、ＤＡ）、ソースアドレス（ｓｏｕｒｃｅ  ａｄｄｒｅｓｓ、ＳＡ）、ＭＳＤＵ長さ（ｌｅｎｇｔｈ）からなるサブフレームヘッダ（ｓｕｂｆｒａｍｅ  ＨＤＲ）を含むことができる。Ａ−ＭＳＤＵサブフレームの全体長さを一定倍数（４ｏｃｔｅｔの倍数）で作るために、Ａ−ＭＳＤＵサブフレームは、パディングされることができる。複数のＡ−ＭＳＤＵサブフレームが集まって一つのＡ−ＭＳＤＵ３５０が形成されることができる。
【００３４】
Ａ−ＭＳＤＵ３５０は、単一ＭＳＤＵと異なるように分割（ｆｒａｇｍｅｎｔａｔｉｏｎ）を実行せずに、単一ＱｏＳ  ｄａｔａ  ＭＰＤＵ（ＭＡＣ  ｐｒｏｔｏｃｏｌ  ｄａｔａ  ｕｎｉｔ）で形成されて送信されることができる。例えば、Ａ−ＭＳＤＵ３５０は、ＭＩＢ（ｍａｎａｇｅｍｅｎｔ  ｉｎｆｏｒｍａｔｉｏｎ  ｂａｓｅ）フィールドのＨＴ能力（ｃａｐａｂｉｌｉｔｙ）がＴＲＵＥである場合、即ち、ＨＴ  ＳＴＡである場合にのみ送信でき、同様に、ＨＴ  ＳＴＡにのみ送信されることができる。ＨＴ  ＳＴＡである場合、Ａ−ＭＳＤＵ３５０をデアグリゲーション（ｄｅ−ａｇｇｒｅｇａｔｉｏｎ）する能力を有しており、ＨＴ  ＳＴＡは、受信したＱｏＳデータのＭＡＣヘッダのＱｏＳフィールド内にＡ−ＭＳＤＵ３５０の存在可否を確認してデアグリゲーションを実行することができる。
【００３５】
ＨＴ  ＳＴＡのＱｏＳデータＭＰＤＵのＡＣＫ政策（ｐｏｌｉｃｙ）がノーマルＡＣＫに設定された場合、Ａ−ＭＳＤＵ３００がＡ−ＭＰＤＵでアグリゲーションされることができない。また、Ａ−ＭＳＤＵ３００がＡ−ＭＰＤＵでアグリゲーションされることができるかどうかは、ＴＩＤ（ｔｒａｆｆｉｃ  ｉｄｅｎｔｉｆｉｅｒ）別ブロックＡＣＫ同意（ｂｌｏｃｋ  ａｃｋｎｏｗｌｅｄｇｅｍｅｎｔ  ａｇｒｅｅｍｅｎｔ）が成立されたかどうかによって変わることができる。また、ＴＩＤに対してブロックＡＣＫ同意が成立された場合であるとしても、ＡＤＤＢＡ要求フレーム（ａｄｄ  ｂｌｏｃｋ  ａｃｋｎｏｗｌｅｄｇｅｍｅｎｔ  ｒｅｑｕｅｓｔ  ｆｒａｍｅ）による受信側のＡＤＤＢＡ応答フレーム（ａｄｄ  ｂｌｏｃｋ  ａｃｋｎｏｗｌｅｄｇｅｍｅｎｔ  ｒｅｓｐｏｎｓｅ  ｆｒａｍｅ）のＡ−ＭＳＤＵブロックＡＣＫ支援可否指示子がブロックＡＣＫを支援しないと指示する場合、Ａ−ＭＰＤＵ内にＡ−ＭＳＤＵが含まれることができない。
【００３６】
図４は、Ａ−ＭＰＤＵを示す概念図である。
【００３７】
図４を参照すると、ＭＡＣ階層の下部で同じＲＡ（ｒｅｃｅｉｖｅｒ  ａｄｄｒｅｓｓ）とＴＩＤ及びＡＣＫ政策を有する複数個のＭＰＤＵ４００を集めて一つのＡ−ＭＰＤＵ４５０を形成することができる。
【００３８】
Ａ−ＭＰＤＵ４５０は、一つ以上のＡ−ＭＰＤＵサブフレームで構成されており、各Ａ−ＭＰＤＵサブフレームは、ＭＰＤＵデリミター（ｄｅｌｉｍｅｔｅｒ）とＭＰＤＵ４００を含むことができる。ＭＰＤＵデリミターは、Ａ−ＭＰＤＵ４５０を構成するＡ−ＭＰＤＵサブフレームのエラー可否を判断するために使われることができる。複数のＡ−ＭＰＤＵサブフレームは、一つのＡ−ＭＰＤＵ４５０を形成することができる。
【００３９】
Ａ−ＭＰＤＵ４５０の受信成功可否は、ブロックＡＣＫに基づいて指示されることができる。ＨＴ−即時ＢＡ同意（ＨＴ−ｉｍｍｅｄｉａｔｅ  ＢＡ  ａｇｒｅｅｍｅｎｔ）が成立されているＴＩＤに対してのみＡ−ＭＰＤＵ４５０を形成することができ、Ａ−ＭＰＤＵ４５０を構成するＭＰＤＵ４００のデュレーション／ＩＤフィールドの値は、同じように設定されることができる。
【００４０】
図５は、ブロックＡＣＫ動作（ｏｐｅｒａｔｉｏｎ）を示す。
【００４１】
ブロックＡＣＫメカニズムは、ＴＸＯＰ期間中に送信された複数のフレームに対するＡＣＫ情報を含む応答フレームを一度に送信するために導入された。ブロックＡＣＫメカニズムが使われる場合、Ａ−ＭＳＤＵまたはＡ−ＭＰＤＵと同様に、オーバーヘッドの減少によるＭＡＣ階層の効率性が向上することができる。
【００４２】
図５を参照すると、一つのＴＩＤのＡ−ＭＰＤＵに対するブロックＡＣＫ送信は、設定（ｓｅｔｕｐ）過程、送信過程、解除（ｔｅａｒ  ｄｏｗｎ）過程に基づいて実行されることができる。設定過程は、ブロックＡＣＫセッションを要求して応答する過程である。
【００４３】
送信過程において、送信側のＳＴＡ（以下、送信側）は、連続されたデータを受信側のＳＴＡ（以下、受信側）に送信し、受信側のＳＴＡは、連続されたデータに対するアグリゲーションされた応答を送信側のＳＴＡに送信することができる。
【００４４】
解除（ｔｅａｒ  ｄｏｗｎ）過程で設定されたブロックＡＣＫセッションは、解除されることができる。
【００４５】
具体的に、設定過程において、送信側は、ＡＤＤＢＡ（ａｄｄ  ｂｌｏｃｋ  ａｃｋｎｏｗｌｅｄｇｅｍｅｎｔ）要求フレームを受信側に送信し、受信側は、ＡＤＤＢＡ応答フレームを送信側に送信することができる。具体的に、送信側が管理フレームであるＡＤＤＢＡ要求フレームを受信側に送信することができる。ＡＤＤＢＡ要求フレームは、現在ＴＩＤに対するブロックＡＣＫ同意を要求することができる。ＡＤＤＢＡ要求フレームは、ブロックＡＣＫ政策種類、送信側の送信バッファサイズ、ブロックＡＣＫセッションのタイムアウト値、ＳＳＮ（ｓｔａｒｔｉｎｇ  ｓｅｑｕｅｎｃｅ  ｎｕｍｂｅｒ）などに対する情報を受信側に送信することができる。ＡＤＤＢＡ要求フレームを受信した受信側は、ＡＤＤＢＡ要求フレームに対する応答としてＡＤＤＢＡ応答フレームを送信側に送信することができる。ＡＤＤＢＡ応答フレームは、ブロックＡＣＫ同意状態、ＡＣＫ政策、バッファサイズ、タイムアウト値を含むことができる。
【００４６】
送信過程において、送信側は、Ａ−ＭＰＤＵを受信側に送信することができる。Ａ−ＭＰＤＵに対するＢＡＲ（ｂｌｏｃｋ  ａｃｋ  ｒｅｑｕｅｓｔ）フレームの送信条件が満たされる場合、送信側は、ＢＡＲフレームを受信側に送信することができる。送信側のＡ−ＭＰＤＵの送信が成功した場合、ＢＡＲフレームを受信した受信側は、Ａ−ＭＰＤＵに対するブロックＡＣＫを送信側に送信することができる。
【００４７】
解除過程は、送信側と受信側に設定された停止タイマ（ｉｎａｃｔｉｖｉｔｙ  ｔｉｍｅｒ）に設定されたタイムアウト値が満了される場合、または該当ＴＩＤに対して送信するデータがそれ以上ない場合に実行されることができる。例えば、ブロックＡＣＫエラー回復のために停止タイマに設定されたタイムアウト値の満了によってＤＥＬＢＡ（ｄｅｌｅｔｅ  ｂｌｏｃｋ  ａｃｋｎｏｗｌｅｄｇｅｍｅｎｔ）フレームを受信側または送信側に送信してブロックＡＣＫセッションを終了することができる。送信側がブロックＡＣＫを受信する場合、送信側の停止タイマは再設定されることができる。受信側がＭＰＤＵ、ブロックＡＣＫ要求フレームを受信する場合、受信側の停止タイマは再設定されることができる。
【００４８】
無線ＬＡＮシステムで動作するＡＰは、複数のＳＴＡの各々に同じ時間リソースを介してデータを送信することができる。ＡＰからＳＴＡへの送信をダウンリンク送信という場合、このようなＡＰの送信は、ＤＬ  ＭＵ送信（ｄｏｗｎｌｉｎｋ  ｍｕｌｔｉ−ｕｓｅｒ  ｔｒａｎｓｍｉｓｓｉｏｎ）（または、ダウンリンクマルチユーザ送信）という用語で表現できる。既存の無線ＬＡＮシステムにおいて、ＡＰは、ＭＵ  ＭＩＭＯ（ｍｕｌｔｉｐｌｅ  ｉｎｐｕｔ  ｍｕｌｔｉｐｌｅ  ｏｕｔｐｕｔ）に基づいてＤＬ  ＭＵ送信を実行することができ、このような送信は、ＤＬ  ＭＵ  ＭＩＭＯ送信という用語で表現されることができる。本発明の実施例において、ＡＰは、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ  ａｃｃｅｓｓ）に基づいてＤＬ  ＭＵ送信を実行することができ、このような送信は、ＤＬ  ＭＵ  ＯＦＤＭＡ送信という用語で表現されることができる。ＤＬ  ＭＵ  ＯＦＤＭＡ送信が使われる場合、ＡＰは、重なった時間リソース上で複数の周波数リソースの各々を介して複数のＳＴＡの各々にダウンリンクデータ（または、ダウンリンクフレーム）が送信されることができる。
【００４９】
ダウンリンク送信を介して送信されるＰＰＤＵ、フレーム及びデータの各々は、ダウンリンクＰＰＤＵ、ダウンリンクフレーム及びダウンリンクデータという用語で表現されることができる。ＰＰＤＵは、ＰＰＤＵヘッダとＰＳＤＵ（ｐｈｙｓｉｃａｌ  ｌａｙｅｒ  ｓｅｒｖｉｃｅ  ｄａｔａ  ｕｎｉｔ）（または、ＭＰＤＵ（ＭＡＣ  ｐｒｏｔｏｃｏｌ  ｄａｔａ  ｕｎｉｔ））を含むデータ単位である。ＰＰＤＵヘッダは、ＰＨＹヘッダとＰＨＹプリアンブルを含むことができ、ＰＳＤＵ（または、ＭＰＤＵ）は、フレームを含み、またはフレームを指示することができる。ＤＬ  ＳＵ（ｓｉｎｇｌｅ  ｕｓｅｒ）送信は、全体送信リソース上でＡＰから一つのＳＴＡへのダウンリンク送信を指示することができる。
【００５０】
それに対し、ＳＴＡからＡＰへの送信は、アップリンク送信ということができ、複数のＳＴＡが同じ時間リソース上でＡＰにデータを送信することをＵＬ  ＭＵ送信（ｕｐｌｉｎｋ  ｍｕｌｔｉ−ｕｓｅｒ  ｔｒａｎｓｍｉｓｓｉｏｎ）（または、アップリンクマルチユーザ送信）という用語で表現できる。既存の無線ＬＡＮシステムと違って、本発明の実施例に係る無線ＬＡＮシステムではＵＬ  ＭＵ送信も支援されることができる。アップリンクを介して送信されるＰＰＤＵ、フレーム及びデータの各々は、アップリンクＰＰＤＵ、アップリンクフレーム及びアップリンクデータという用語で表現されることができる。複数のＳＴＡの各々によるアップリンク送信は、周波数ドメインまたは空間ドメイン（ｓｐａｔｉａｌ  ｄｏｍａｉｎ）上で実行されることができる。
【００５１】
複数のＳＴＡの各々によるアップリンク送信が周波数ドメイン上で実行される場合、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）に基づいて複数のＳＴＡの各々に対して互いに異なる周波数リソースがアップリンク送信リソースとして割り当てられることができる。複数のＳＴＡの各々は、割り当てられた互いに異なる周波数リソースを介してＡＰにアップリンクフレームを送信することができる。このような互いに異なる周波数リソースを介した送信方法は、ＵＬ  ＭＵ  ＯＦＤＭＡ送信方法という用語で表現されることもできる。
【００５２】
複数のＳＴＡの各々によるアップリンク送信が空間ドメイン上で実行される場合、複数のＳＴＡの各々に対して互いに異なる時空間ストリーム（ｓｐａｃｅ  ｔｉｍｅ  ｓｔｒｅａｍ）（または、空間的ストリーム（ｓｐａｔｉａｌ  ｓｔｒｅａｍ））が割り当てられ、複数のＳＴＡの各々が互いに異なる時空間ストリームを介してアップリンクフレームをＡＰに送信することができる。このような互いに異なる空間的ストリームを介した送信方法は、ＵＬ  ＭＵ  ＭＩＭＯ送信方法という用語で表現されることもできる。ＵＬ  ＳＵ送信は、全体送信リソース上で一つのＳＴＡから一つのＡＰへのダウンリンク送信を指示することができる。
【００５３】
以下、本発明の実施例では、ＤＬ  ＭＵ  ＯＦＤＭＡ送信に基づくダウンリンクフレームの送信前媒体保護のためのＲＴＳフレームとＣＴＳフレームの送信及び受信手順が開示される。
【００５４】
以下、本発明の実施例では、同じ大きさの帯域幅（例えば、２０ＭＨｚ）を有するプライマリチャネル（ｐｒｉｍａｒｙ  ｃｈａｎｎｅｌ）及びセカンダリチャネル（ｓｅｃｏｎｄａｒｙ  ｃｈａｎｎｅｌ）が仮定される。また、本発明の実施例では、ＤＬ  ＭＵ  ＯＦＤＭＡベースの送信のための周波数リソースである複数のサブバンドの各々を含むプライマリチャネル及びセカンダリチャネルの各々が仮定される。複数のサブバンドの各々は、特定ＳＴＡへのダウンリンクデータの送信のために使われることができる。例えば、２０ＭＨｚのプライマリチャネル及び２０ＭＨｚのセカンダリチャネルの各々は、４個の５ＭＨｚのサブバンドを含むことができる。プライマリチャネルは、２０ＭＨｚ、４０ＭＨｚ、８０ＭＨｚのような異なる大きさに定義されることができ、セカンダリチャネルも２０ＭＨｚ、４０ＭＨｚ、８０ＭＨｚのような異なる大きさに定義されることができる。サブバンドの大きさは、５ＭＨｚでない１０ＭＨｚ、２．５ＭＨｚなどのような異なる大きさに定義されることもできる。
【００５５】
ＡＰ（または、ＳＴＡ）は、プライマリチャネル及びセカンダリチャネルを介したデータの送信のために次のような手順を実行することができる。例えば、ＳＴＡは、プライマリチャネルでバックオフ手順を実行することで、プライマリチャネル上のチャネルアクセスに対する権限を取得することができる。また、ＳＴＡは、追加のチャネル帯域（例えば、セカンダリチャネル）が可用かどうかに対して判断できる。例えば、ＡＰは、バックオフタイマが満了（ｅｘｐｉｒｅ）される以前のＰＩＦＳ（ＰＣＦ（ｐｏｉｎｔ  ｃｏｏｒｄｉｎａｔｉｏｎ  ｆｕｎｃｔｉｏｎ）ｉｎｔｅｒｆｒａｍｅ  ｓｐａｃｅ）区間でセカンダリチャネルのチャネル状態を確認することができる。セカンダリチャネルは、全体可用なチャネル帯域のうちプライマリチャネルを除外した残りのチャネルである。セカンダリチャネルは、他の表現でノンプライマリチャネルという用語で表現されることができる。
【００５６】
即ち、ＡＰは、セカンダリチャネルがアイドル（ｉｄｌｅ）かまたはビジー（ｂｕｓｙ）かに対して決定するためにＴＸＯＰ（ｔｒａｎｓｍｉｓｓｉｏｎ  ｏｐｐｏｒｔｕｎｉｔｙ）以前のＰＩＦＳでチャネルの状態を判断することができる。もし、セカンダリチャネルがＰＩＦＳでアイドルな場合、ＳＴＡは、セカンダリチャネルの状態をアイドルであると判断できる。以下、本発明の実施例では、プライマリチャネル及びセカンダリチャネルが可用であると仮定する。プライマリチャネルは第１のチャネル、セカンダリチャネルは第２のチャネルという用語で表現されることもできる。
【００５７】
また、以下、本発明の実施例に係る可用な全体周波数帯域幅の区分（または、分割）（例えば、プライマリチャネル、セカンダリチャネル）及びサブバンド（プライマリチャネル、セカンダリチャネルの各々に含まれる４個のサブバンド）の区分（または、分割）は、任意である。即ち、可用な全体周波数リソースは、多様な方法で分割され、分割された全体周波数リソースは、ＡＰのＤＬ  ＭＵ  ＯＦＤＭＡベースのダウンリンクデータ（または、ダウンリンクフレーム）の送信のために使われることができる。
【００５８】
図６は、本発明の実施例に係る媒体保護に基づくＤＬ  ＭＵ  ＯＦＤＭＡ送信方法を示す概念図である。
【００５９】
図６では、ＲＴＳフレーム及びＣＴＳフレームベースの媒体保護手順以後、プライマリチャネル及びセカンダリチャネルの各々を介したＡＰのＤＬ  ＭＵ  ＯＦＤＭＡベースのダウンリンクデータの送信が開示される。
【００６０】
図６を参照すると、ＡＰは、複数のチャネルの各々を介して複数のＲＴＳフレーム６００、６１０の各々を重なった時間リソース上で送信することができる。ＡＰは、プライマリチャネル及びセカンダリチャネルの各々を介してＲＴＳフレーム１  ６００及びＲＴＳフレーム２  ６１０を送信することができる。
【００６１】
複数のチャネルの各々を介して送信される複数のＲＴＳフレームの各々は、複数のＲＴＳフレームの各々の送信チャネル上でダウンリンクデータ（ＲＴＳフレーム）を受信するターゲットＳＴＡに対する情報及び／またはターゲットＳＴＡのためのダウンリンクリソースに対する情報を含むことができる。
【００６２】
例えば、ＡＰによりプライマリチャネルを介して送信されるＲＴＳフレーム１  ６００は、プライマリチャネルを介してＡＰにより送信されるダウンリンクデータを受信する少なくとも一つのターゲットＳＴＡの各々に対する識別情報及び／または少なくとも一つのターゲットＳＴＡの各々にダウンリンクデータの送信のために割り当てられるダウンリンクリソースに対する情報を含むことができる。また、ＡＰによりセカンダリチャネルを介して送信されるＲＴＳフレーム２  ６１０は、セカンダリチャネルを介してＡＰにより送信されるダウンリンクデータを受信する少なくとも一つのターゲットＳＴＡの各々に対する識別情報及び／または少なくとも一つのターゲットＳＴＡの各々にダウンリンクデータの送信のために割り当てられるダウンリンクリソースに対する情報を含むことができる。
【００６３】
即ち、本発明の実施例によると、ＡＰにより複数のチャネルの各々を介して送信される複数のＲＴＳフレームの各々は、複数のチャネルのうちＲＴＳフレームが送信された送信チャネルに含まれる複数のサブバンドを介してダウンリンクデータを受信する少なくとも一つのターゲットＳＴＡの識別情報及び／またはダウンリンクデータの送信のために少なくとも一つのターゲットＳＴＡに割り当てられるダウンリンクリソースに対する情報を含むことができる。以下、ダウンリンクデータの送信のために少なくとも一つのターゲットＳＴＡに割り当てられるダウンリンクリソースは、ターゲットＳＴＡ割当リソース（または、ターゲットＳＴＡ割当サブバンド）という用語で表現されることができる。
【００６４】
具体的に、複数のチャネルの各々を介して送信されるＲＴＳフレームのＲＡ（ｒｅｃｅｉｖｉｎｇ  ａｄｄｒｅｓｓ）フィールドは、ＲＴＳフレームの送信チャネルに含まれるターゲットＳＴＡ割当サブバンドを介してダウンリンクデータを受信する（または、ＲＴＳフレームを受信する）ターゲットＳＴＡに対する情報を含むことができる。また、ＲＴＳフレームに含まれるＲＡフィールドまたは他の別途のリソース割当フィールドは、ターゲットＳＴＡ割当サブバンドに対する情報を含むことができる。または、ＲＴＳフレームを伝達するＲＴＳ  ＰＰＤＵのＰＰＤＵヘッダがターゲットＳＴＡの識別情報及びターゲットＳＴＡ割当サブバンドに対する情報を含むことができる。具体的なＲＴＳフレーム及びＲＴＳ  ＰＰＤＵのフォーマット（または、構造）に対する情報は、具体的に後述する。
【００６５】
例えば、プライマリチャネルを介して送信されたＲＴＳフレーム１  ６００のＲＡフィールドは、プライマリチャネルを介してダウンリンクデータを受信するターゲットＳＴＡであるＳＴＡ１及びＳＴＡ２の各々の識別子（例えば、ＭＡＣアドレス、ＡＩＤ（ａｓｓｏｃｉａｔｉｏｎ  ｉｄｅｎｔｉｆｉｅｒ）、ＰＡＩＤ（ｐａｒｔｉａｌ  ａｓｓｏｃｉａｔｉｏｎ  ｉｄｅｎｔｉｆｉｅｒ））に対する情報を含むことができる。また、ＲＴＳフレーム１  ６００のＲＡフィールド（または、リソース割当フィールド）は、ターゲットＳＴＡ割当サブバンドに対する情報としてＳＴＡ１及びＳＴＡ２の各々に対して割り当てられたサブバンド（または、周波数リソース）に対する情報を含むことができる。例えば、ＲＴＳフレーム１  ６００のＲＡフィールド（または、リソース割当フィールド）は、プライマリチャネルに含まれている４個のサブバンドのうち、２個のサブバンドがダウンリンクデータの送信のためにＳＴＡ１に割り当てられ、残りの２個のサブバンドがダウンリンクデータの送信のためにＳＴＡ２に割り当てられることを指示することができる。
【００６６】
セカンダリチャネルを介して送信されたＲＴＳフレーム２  ６１０のＲＡフィールドは、セカンダリチャネルを介してダウンリンクデータを受信するターゲットＳＴＡであるＳＴＡ３及びＳＴＡ４の各々の識別子（例えば、ＭＡＣアドレス、ＡＩＤ、ＰＡＩＤ）に対する情報を含むことができる。また、ＲＴＳフレーム２  ６１０のＲＡフィールド（または、リソース割当フィールド）は、ターゲットＳＴＡ割当リソースに対する情報としてＳＴＡ３及びＳＴＡ４の各々に対して割り当てられたリソース（または、サブバンド）に対する情報を含むことができる。例えば、ＲＴＳフレーム２  ６１０のＲＡフィールド（または、リソース割当フィールド）は、セカンダリチャネルに含まれている４個のサブバンドのうち、３個のサブバンドがダウンリンクデータの送信のためにＳＴＡ３に割り当てられ、残りの１個のサブバンドがダウンリンクデータの送信のためにＳＴＡ４に割り当てられることを指示することができる。
【００６７】
前述したように、複数のチャネルの各々を介して送信される複数のＲＴＳフレーム（または、ＲＴＳ  ＰＰＤＵ）の各々が複数のＲＴＳフレーム（または、ＲＴＳ  ＰＰＤＵ）の各々の送信チャネル上で送信されることもできるが、複数のチャネル（例えば、プライマリチャネル及びセカンダリチャネル）を含む全体送信リソース上で一つのＲＴＳ  ＰＰＤＵを介してＲＴＳフレームが送信されることもできる。ＲＴＳフレームの送信のための一つのＲＴＳ  ＰＰＰＤＵは、後述するＤＬ  ＭＵ  ＰＰＤＵフォーマットである。ＤＬ  ＭＵ  ＰＰＤＵフォーマットは、重複された（または、デュプリケートされた）フィールドを含むＰＰＤＵヘッダを含むことができる。具体的に、ＲＴＳフレームを伝達する一つのＲＴＳ  ＰＰＤＵのＰＰＤＵヘッダで全体送信リソース上でダウンリンクフレーム（ＲＴＳフレーム）を受信する全体ターゲットＳＴＡが指示され、全体ターゲットＳＴＡの各々のダウンリンクデータ受信のための周波数リソースが指示されることができる。図６のような場合、一つのＲＴＳ  ＰＰＤＵのＰＰＤＵヘッダが全体送信リソース上で動作する全体ターゲットＳＴＡ（例えば、ＳＴＡ１、ＳＴＡ２、ＳＴＡ３及びＳＴＡ４）の識別情報と、全体ターゲットＳＴＡのうち、一部ターゲットＳＴＡ（ＳＴＡ１、ＳＴＡ２）に対して割り当てられた周波数リソース（プライマリチャネル）、残りのターゲットＳＴＡ（ＳＴＡ３、ＳＴＡ４）に対して割り当てられた周波数リソース（セカンダリチャネル）に対する情報と、を含むことができる。ＳＴＡ１及びＳＴＡ２は、ＰＰＤＵヘッダ情報に基づいてプライマリチャネルを介して送信されるＲＴＳフレームを受信し、ＳＴＡ３及びＳＴＡ４は、ＰＰＤＵヘッダ情報に基づいてセカンダリチャネルを介して送信されるＲＴＳフレームを受信することができる。
【００６８】
本発明の実施例によると、複数のチャネルのうち一つのチャネルを介して送信されたＲＴＳフレームを受信した複数のターゲットＳＴＡのうち一つのターゲットＳＴＡのみがＲＴＳフレームに対する応答としてＣＴＳフレームをＡＰに送信することができる。複数のターゲットＳＴＡのうち、ＣＴＳフレームを送信する一つのターゲットＳＴＡを除外した残りのターゲットＳＴＡは、ＣＴＳフレームをＡＰに送信しない。以下、ＲＴＳフレームに対する応答としてＣＴＳフレームを送信する一つのターゲットＳＴＡは、ＣＴＳフレーム送信ＳＴＡという用語で表現されることができる。ＣＴＳフレーム送信ＳＴＡは、ＲＴＳフレームの送信チャネルと同じチャネルを介してＣＴＳフレームをＡＰに送信することができる。
【００６９】
具体的に、プライマリチャネルを介してＲＴＳフレーム１  ６００を受信した複数のターゲットＳＴＡであるＳＴＡ１及びＳＴＡ２のうち一つのターゲットＳＴＡは、プライマリチャネルを介してＣＴＳフレーム１  ６２０をＡＰに送信することができる。セカンダリチャネルを介してＲＴＳフレーム２  ６１０を受信した複数のターゲットＳＴＡであるＳＴＡ３及びＳＴＡ４のうち一つのターゲットＳＴＡは、セカンダリチャネルを介してＣＴＳフレーム２  ６３０をＡＰに送信することができる。
【００７０】
ＣＴＳフレーム送信ＳＴＡは、多様な方法に基づいて決定されることができる。
【００７１】
例えば、ＣＴＳフレーム送信ＳＴＡは、ＲＴＳフレームに含まれているＲＡフィールドに基づいて決定されることができる。ＣＴＳフレーム送信ＳＴＡは、ＲＴＳフレームに含まれているＲＡフィールドに基づいて指示された複数のターゲットＳＴＡのうち、順序上に最も早く指示されたＳＴＡである。例えば、ＲＡフィールドに含まれている複数のビットは、複数のターゲットＳＴＡを順次に指示することができ、ＣＴＳフレーム送信ＳＴＡは、ＲＡフィールドに含まれている複数のビットのうち、最も早く位置した（または、デコーディングされる）ビットに基づいて指示されるターゲットＳＴＡである。または、ＣＴＳフレーム送信ＳＴＡは、ＲＡフィールドのデコーディング時、最も早くデコーディングされて識別されるターゲットＳＴＡである。
【００７２】
プライマリチャネルを介して送信されるＲＴＳフレーム１  ６００のＲＡフィールドは、ＳＴＡ１の識別子及びＳＴＡ２の識別子を順次に含むことができる。このような場合、ＳＴＡ１及びＳＴＡ２のうちＲＡフィールドに基づいて先に指示されたＳＴＡ１がＣＴＳフレーム送信ＳＴＡである。ＳＴＡ１及びＳＴＡ２の各々は、ＲＴＳフレーム１  ６００のＲＡフィールドをデコーディングし、デコーディング結果に基づいてＣＴＳフレームの送信可否を決定することができる。ＳＴＡ１は、ＲＡフィールドに基づいてＣＴＳフレーム１の送信を決定し、ＳＴＡ２は、ＲＡフィールドに基づいてＣＴＳフレームの非送信を決定することができる。ＣＴＳフレーム送信ＳＴＡであるＳＴＡ１は、プライマリチャネルを介してＡＰにＣＴＳフレーム１  ６２０を送信することができる。
【００７３】
セカンダリチャネルを介して送信されるＲＴＳフレーム２のＲＡフィールドは、ＳＴＡ３の識別子及びＳＴＡ４の識別子を順次に含むことができる。このような場合、ＳＴＡ３及びＳＴＡ４のうちＲＡフィールドに基づいて先に指示されたＳＴＡ３がＣＴＳフレーム送信ＳＴＡである。ＳＴＡ３及びＳＴＡ４の各々は、ＲＴＳフレーム２  ６１０のＲＡフィールドをデコーディングし、デコーディング結果に基づいてＣＴＳフレームの送信可否を決定することができる。ＳＴＡ３は、ＲＡフィールドに基づいてＣＴＳフレームの送信を決定し、ＳＴＡ４は、ＲＡフィールドに基づいてＣＴＳフレームの非送信を決定することができる。ＣＴＳフレーム送信ＳＴＡであるＳＴＡ３は、セカンダリチャネルを介してＡＰにＣＴＳフレーム２  ６３０を送信することができる。
【００７４】
ＲＴＳフレーム１  ６００に対する応答としてＲＴＳフレーム１  ６００の受信以後一定時間以内にＳＴＡ１により送信されるＣＴＳフレーム１  ６２０とＲＴＳフレーム２  ６１０に対する応答としてＲＴＳフレーム２  ６１０の受信以後一定時間以内にＳＴＡ３により送信されるＣＴＳフレーム２  ６３０は、重なった時間リソース上でＡＰに送信されることができる。ＣＴＳフレーム１  ６２０とＣＴＳフレーム２  ６３０は、同じ情報を含むフレームである。ＣＴＳフレーム１  ６２０とＣＴＳフレーム２  ６３０は、フレーム間の衝突無しでＡＰにデコーディング可能な範囲内で送信されることができる。
【００７５】
本発明の他の実施例によると、ＣＴＳフレーム送信ＳＴＡは、割り当てられたサブバンド（または、リソース）の大きさに基づいて決定されることができる。割り当てられたサブバンド（または、リソース）の大きさに基づいてＣＴＳフレーム送信ＳＴＡを決定する方法は、後述する。または、ＣＴＳフレーム送信ＳＴＡは、ＡＰまたはＳＴＡによりランダムに決定されることもできる。
【００７６】
前記のようなＲＴＳフレーム及びＣＴＳフレームに基づく媒体保護手順以後、ＡＰは、複数のチャネルの各々（または、複数のチャネルの各々に含まれているサブバンドの各々）を介して複数のターゲットＳＴＡの各々にダウンリンクデータを送信することができる。
【００７７】
ＡＰは、ＲＴＳフレームに基づいて指示したターゲットＳＴＡ割当サブバンドを介して複数のターゲットＳＴＡの各々にダウンリンクデータを送信することができる。ダウンリンクデータは、後述するＰＰＤＵフォーマットまたはＤＬ  ＭＵ  ＰＰＤＵフォーマットに基づくＰＰＤＵを介して伝達（ｃａｒｒｙｉｎｇ）されることができる。
【００７８】
ＡＰは、プライマリチャネルに含まれている４個のサブバンドのうち、２個のサブバンドを介してＳＴＡ１にＳＴＡ１に対するダウンリンクデータを送信し、残りの２個のサブバンドを介してＳＴＡ２にＳＴＡ２に対するダウンリンクデータを送信することができる。
【００７９】
ＡＰは、セカンダリチャネルに含まれている４個のサブバンドのうち、３個のサブバンドを介してＳＴＡ３にＳＴＡ３に対するダウンリンクデータを送信し、残りの１個のサブバンドを介してＳＴＡ４にＳＴＡ４に対するダウンリンクデータを送信することができる。
【００８０】
ＡＰは、複数のチャネルの各々を介して少なくとも一つのダウンリンクフレーム（または、少なくとも一つのターゲットＳＴＡに対するダウンリンクデータ）を含む複数のダウンリンクＰＰＤＵの各々を送信することができる。例えば、ＡＰによりプライマリチャネルを介して、ＤＬ  ＭＵ  ＯＦＤＭＡに基づいてＳＴＡ１及びＳＴＡ２に送信されるダウンリンクデータ６４０は、ダウンリンクＰＰＤＵ１に基づいて送信され、ＤＬ  ＭＵ  ＯＦＤＭＡに基づいてＳＴＡ３及びＳＴＡ４に送信されるダウンリンクデータ６５０は、ダウンリンクＰＰＤＵ２に基づいて送信されることができる。ダウンリンクＰＰＤＵ１及びダウンリンクＰＰＤＵ２の各々は、各々のＩＦＦＴプロセスに基づいて生成されたデータ単位である。ダウンリンクＰＰＤＵ１のＰＰＤＵヘッダは、ダウンリンクＰＰＤＵ１の送信チャネルに含まれているサブバンドを介してダウンリンクデータ６４０を受信するターゲットＳＴＡであるＳＴＡ１及びＳＴＡ２の識別情報及びターゲットＳＴＡであるＳＴＡ１及びＳＴＡ２に割り当てられたサブバンドに対する情報を含むことができる。ダウンリンクＰＰＤＵ２のＰＰＤＵヘッダは、ダウンリンクＰＰＤＵ２の送信チャネルに含まれているサブバンドを介してダウンリンクデータ６５０を受信するターゲットＳＴＡであるＳＴＡ３及びＳＴＡ４の識別情報及びターゲットＳＴＡであるＳＴＡ３及びＳＴＡ４に割り当てられたサブバンドに対する情報を含むことができる。
【００８１】
または、ＡＰは、ＤＬ  ＭＵ  ＯＦＤＭＡに基づいてプライマリチャネル及びセカンダリチャネルを介してＳＴＡ１、ＳＴＡ２、ＳＴＡ３及びＳＴＡ４に対するダウンリンクデータ６４０、６５０を含むＤＬ  ＭＵ  ＰＰＤＵフォーマットの一つのＰＰＤＵを送信することもできる。本発明の実施例によると、複数のチャネル（例えば、プライマリチャネル及びセカンダリチャネル）上で単一ＩＦＦＴプロセスに基づいて生成されたＤＬ  ＭＵ  ＰＰＤＵフォーマットの一つのＰＰＤＵは、複数のチャネルを介してターゲットＳＴＡにダウンリンクデータ６４０、６５０を送信することができる。複数のチャネル上で単一ＩＦＦＴプロセスに基づいて生成されたＤＬ  ＭＵ  ＰＰＤＵフォーマットの一つのＰＰＤＵのＰＰＤＵヘッダは、複数のチャネル上でダウンリンクデータ６４０、６５０を受信するターゲットＳＴＡであるＳＴＡ１、ＳＴＡ２、ＳＴＡ３及びＳＴＡ４の識別情報及び複数のチャネルに含まれるサブバンドのうちターゲットＳＴＡであるＳＴＡ１、ＳＴＡ２、ＳＴＡ３及びＳＴＡ４に割り当てられたサブバンドに対する情報を含むことができる。
【００８２】
以下、本発明の実施例では、ＡＰがプライマリチャネルを介してＳＴＡ１及びＳＴＡ２に送信されるダウンリンクデータ６４０を含むダウンリンクフレーム１及びセカンダリチャネルを介してＳＴＡ３及びＳＴＡ４に送信されるダウンリンクデータ６５０を含むダウンリンクフレーム２を送信する場合が仮定される。
【００８３】
以下、複数のターゲットＳＴＡのダウンリンクデータに対するブロックＡＣＫフレームの送信方法が開示される。複数のターゲットＳＴＡがＡＰにより送信されたダウンリンクデータに対するデコーディングを成功し、ブロックＡＣＫフレームをＡＰに送信する場合が仮定される。
【００８４】
複数のターゲットＳＴＡの各々は、ＲＴＳフレームの送信チャネル（受信チャネル）と同じ周波数リソースを介してブロックＡＣＫフレームをＡＰに送信することができる。
【００８５】
例えば、プライマリチャネルを介してＲＴＳフレーム１  ６００を受信したＳＴＡ１及びＳＴＡ２は、プライマリチャネルを介してブロックＡＣＫフレームをＡＰに送信することができる。セカンダリチャネルを介してＲＴＳフレーム２  ６１０を受信したＳＴＡ３及びＳＴＡ４は、セカンダリチャネルを介してブロックＡＣＫフレームをＡＰに送信することができる。
【００８６】
複数のターゲットＳＴＡがＲＴＳフレームの送信チャネルと同じ周波数リソースを介してブロックＡＣＫフレームを送信しなければならない場合、複数のターゲットＳＴＡのうち一つのターゲットＳＴＡは、ＡＰからダウンリンクデータを受信した後、別途のフレーム（例えば、ＢＡＲ（ｂｌｏｃｋ  ａｃｋｎｏｗｌｅｄｇｅｍｅｎｔ  ｒｅｑｕｅｓｔ）フレーム）によるトリガなしに即時ブロックＡＣＫフレームを送信することができる。複数のターゲットＳＴＡのうち残りのターゲットＳＴＡは、ＢＡＲフレームをＡＰから受信した以後にブロックＡＣＫフレームをＡＰに送信することができる。
【００８７】
例えば、複数のターゲットＳＴＡであるＳＴＡ１及びＳＴＡ２がプライマリチャネルを介してＲＴＳフレーム１  ６００を受信することができる。ＳＴＡ１及びＳＴＡ２のうち一つのＳＴＡであるＳＴＡ１は、ＡＰからプライマリチャネルに含まれているサブバンドを介してダウンリンクデータを受信した後、プライマリチャネルを介してブロックＡＣＫフレーム１  ６６０をＡＰに送信することができる。残りのＳＴＡであるＳＴＡ２は、ＡＰからプライマリチャネルに含まれているサブバンドを介してダウンリンクデータを受信した後、ＡＰからＢＡＲフレーム６６５を受信し、プライマリチャネルを介してブロックＡＣＫフレーム２  ６７０をＡＰに送信することができる。
【００８８】
複数のターゲットＳＴＡであるＳＴＡ３及びＳＴＡ４がセカンダリチャネルを介してＲＴＳフレーム２  ６１０を受信することができる。ＳＴＡ３及びＳＴＡ４のうち一つのＳＴＡであるＳＴＡ３は、ＡＰからセカンダリチャネルに含まれているサブバンドを介してダウンリンクデータを受信した後、セカンダリチャネルを介してブロックＡＣＫフレーム３  ６８０をＡＰに送信することができる。残りのＳＴＡであるＳＴＡ４は、ＡＰからセカンダリチャネルに含まれているサブバンドを介してダウンリンクデータを受信した後、ＡＰからＢＡＲフレーム６８５を受信し、セカンダリチャネルを介してブロックＡＣＫフレーム４  ６９０をＡＰに送信することができる。
【００８９】
ＡＰからダウンリンクデータを受信した後、ブロックＡＣＫフレームを送信するＳＴＡは、即時ブロックＡＣＫ送信ＳＴＡ（即時ブロックＡＣＫ送信者（ｉｍｍｅｄｉａｔｅ  ＢＡＣＫ  ｓｅｎｄｅｒ））という用語で表現されることができる。即時ブロックＡＣＫ送信ＳＴＡは、多様な方法に基づいて決定されることができる。
【００９０】
即時ブロックＡＣＫ送信ＳＴＡは、ＲＴＳフレームに含まれているＲＡフィールドに基づいて決定されることができる。即時ブロックＡＣＫ送信ＳＴＡは、ＲＴＳフレームに含まれているＲＡフィールドに基づいて指示された複数のＳＴＡのうち最も早く指示されたＳＴＡである。
【００９１】
プライマリチャネルを介して送信されるＲＴＳフレーム１  ６００のＲＡフィールドのビットは、ＳＴＡ１の識別子及びＳＴＡ２の識別子を順次に指示することができる。このような場合、ＳＴＡ１及びＳＴＡ２のうちＲＡフィールドに基づいて先に指示されたＳＴＡ１が即時ブロックＡＣＫ送信ＳＴＡである。ＳＴＡ１及びＳＴＡ２の各々は、ＲＴＳフレーム１  ６００のＲＡフィールドをデコーディングし、デコーディング結果に基づいてブロックＡＣＫをダウンリンクデータの受信以後即時送信するか、またはＢＡＲフレームの受信以後即時送信するかに対して決定することができる。即時ブロックＡＣＫ送信ＳＴＡであるＳＴＡ１は、ダウンリンクフレーム１  ６４０に含まれているダウンリンクデータを受信した後、プライマリチャネルを介してブロックＡＣＫフレーム１  ６６０をＡＰに送信することができる。即時ブロックＡＣＫ送信ＳＴＡでないＳＴＡ２は、ＢＡＲフレーム６６５を受信し、プライマリチャネルを介してブロックＡＣＫフレーム２  ６７０をＡＰに送信することができる。
【００９２】
セカンダリチャネルを介して送信されるＲＴＳフレーム２  ６１０のＲＡフィールドは、ＳＴＡ３の識別子及びＳＴＡ４の識別子を順次に含むことができる。このような場合、ＳＴＡ３及びＳＴＡ４のうちＲＡフィールドに基づいて先に指示されたＳＴＡ３が即時ブロックＡＣＫ送信ＳＴＡである。ＳＴＡ３及びＳＴＡ４の各々は、ＲＴＳフレーム２  ６１０のＲＡフィールドをデコーディングし、デコーディング結果に基づいてブロックＡＣＫ３をダウンリンクフレーム２  ６５０に含まれているダウンリンクデータの受信以後即時送信するか、またはＢＡＲフレーム６８５の受信以後即時送信するかに対して決定することができる。即時ブロックＡＣＫ送信ＳＴＡであるＳＴＡ３は、ダウンリンクデータを受信した後、セカンダリチャネルを介してブロックＡＣＫフレーム３  ６８０をＡＰに送信することができる。即時ブロックＡＣＫ送信ＳＴＡでないＳＴＡ４は、ＢＡＲフレーム６８５を受信し、セカンダリチャネルを介してブロックＡＣＫフレーム４  ６９０をＡＰに送信することができる。
【００９３】
本発明の他の実施例によると、即時ブロックＡＣＫ送信ＳＴＡは、割り当てられたサブバンドの大きさに基づいて決定されることができる。図６のセカンダリチャネルを参照すると、セカンダリチャネルに含まれている４個のサブバンドのうち、ＳＴＡ３に３個のサブバンドが割り当てられたため、ＳＴＡ３が即時ブロックＡＣＫ送信ＳＴＡに決定されることができる。または、ブロックＡＣＫ送信ＳＴＡは、ＡＰまたはＳＴＡによりランダムに決定されることもできる。
【００９４】
本発明の他の実施例によると、セカンダリチャネルでのみのＢＡＲフレーム及びＢＡＲフレームに基づくブロックＡＣＫフレームの送信手順の制限のためのターゲットＳＴＡに対するサブバンド割当が実行されることができる。
【００９５】
ＡＰは、前記のようなセカンダリチャネルでのみのＢＡＲフレーム及びＢＡＲフレームに基づくブロックＡＣＫフレームの送信手順の制限のために、プライマリチャネルを介してダウンリンクデータを受信するターゲットＳＴＡの数を、セカンダリチャネルを介してダウンリンクデータを受信するターゲットＳＴＡの数より大きいように決定することができる。このような場合、プライマリチャネルを介したブロックＡＣＫフレームの送信手順がセカンダリチャネルを介したブロックＡＣＫフレームの送信手順より長い間実行されることができる。セカンダリチャネルのみのアイドルまたはビジーを判断するために使われるＣＣＡ（ｃｌｅａｒ  ｃｈａｎｎｅｌ  ａｓｓｅｓｓｍｅｎｔ）レベル（または、ＣＣＡ閾値）は、プライマリチャネルのアイドルまたはビジーを判断するために使われるＣＣＡレベルより大きい。このような場合、ターゲットＳＴＡを除外したノンターゲットＳＴＡは、相対的に容易にセカンダリチャネルをアイドルであると判断することができ、セカンダリ上で送信されるフレーム間の衝突可能性は、相対的に大きい。したがって、フレームの衝突を減らすために、セカンダリチャネルを介したブロックＡＣＫフレームの送信または受信の手順が、プライマリチャネルを介したブロックＡＣＫフレームの送信または受信の手順より早く終了されるように設定できる。このような方法に基づいて全体的な無線ＬＡＮ送信効率が増加されることができる。
【００９６】
図７は、本発明の実施例に係る媒体保護に基づくＤＬ  ＭＵ  ＯＦＤＭＡ送信方法を示す概念図である。
【００９７】
図７では、ＲＴＳフレーム及びＣＴＳフレームベースの媒体保護手順以後、プライマリチャネル及びセカンダリチャネルの各々を介したＡＰのＤＬ  ＭＵ  ＯＦＤＭＡベースのダウンリンクデータの送信が開示される。図７では、特に、ＡＰがプライマリチャネルにより多くのターゲットＳＴＡを割り当てる方法を開示する。
【００９８】
図７を参照すると、ＡＰは、複数のチャネルの各々を介して複数のＲＴＳフレームの各々を重なった時間リソース上で送信することができる。ＡＰは、プライマリチャネル及びセカンダリチャネルの各々を介してＲＴＳフレーム１  ７００及びＲＴＳフレーム２  ７１０の各々を送信することができる。
【００９９】
前述したように、本発明の実施例によると、ＡＰにより複数のチャネルの各々を介して送信される複数のＲＴＳフレームの各々は、複数のチャネルのうちＲＴＳフレームの送信チャネルに含まれる複数のサブバンドを介してダウンリンクデータを受信する少なくとも一つのターゲットＳＴＡの識別情報及びダウンリンクデータの送信のために少なくとも一つのターゲットＳＴＡに割り当てられるターゲットＳＴＡ割当サブバンドに対する情報を含むことができる。
【０１００】
例えば、プライマリチャネルを介して送信されたＲＴＳフレーム１  ７００のＲＡフィールドは、プライマリチャネルを介してダウンリンクデータを受信するターゲットＳＴＡであるＳＴＡ１及びＳＴＡ２の各々の識別子に対する情報を含むことができる。また、ＲＴＳフレーム１  ７００のＲＡフィールド（または、リソース割当フィールド）は、ターゲットＳＴＡ割当リソースに対する情報としてＳＴＡ１及びＳＴＡ２の各々に対して割り当てられたサブバンドに対する情報を含むことができる。例えば、ＲＴＳフレーム１  ７００のＲＡフィールド（または、リソース割当フィールド）は、プライマリチャネルに含まれている４個のサブバンドのうち、２個のサブバンドがダウンリンクデータの送信のためにＳＴＡ１に割り当てられ、残りの２個のサブバンドがダウンリンクデータの送信のためにＳＴＡ２に割り当てられることを指示することができる。
【０１０１】
セカンダリチャネルを介して送信されたＲＴＳフレーム２  ７１０のＲＡフィールドは、セカンダリチャネルを介してダウンリンクデータを受信するターゲットＳＴＡであるＳＴＡ３の識別子に対する情報を含むことができる。また、ＲＴＳフレーム２  ７１０のＲＡフィールド（または、リソース割当フィールド）は、ターゲットＳＴＡ割当リソースに対する情報としてＳＴＡ３に対して割り当てられたリソース（または、サブバンド）に対する情報を含むことができる。例えば、ＲＴＳフレーム２  ７１０のＲＡフィールド（または、リソース割当フィールド）は、セカンダリチャネルに含まれている４個のサブバンドのうち、４個のサブバンドがダウンリンクデータの送信のためにＳＴＡ３に割り当てられることを指示することができる。
【０１０２】
ＡＰがプライマリチャネル及びセカンダリチャネル上でターゲットＳＴＡにＤＬ  ＭＵ  ＯＦＤＭＡ送信を実行する場合、ＡＰは、プライマリチャネルに相対的により多くのターゲットＳＴＡを割り当てることができる。図７のように、３個のターゲットＳＴＡがＤＬ  ＭＵ  ＯＦＤＭＡ送信に基づいてダウンリンクデータを受信する場合、２個のターゲットＳＴＡのターゲットＳＴＡ割当サブバンドは、プライマリチャネル上で割り当てられ、残りの１個のターゲットＳＴＡのターゲットＳＴＡ割当サブバンドは、セカンダリチャネル上で割り当てられることができる。このようにセカンダリチャネルを介したブロックＡＣＫフレームの送信または受信の手順が、プライマリチャネルを介したブロックＡＣＫフレームの送信または受信の手順より早く終了されるように設定できる。したがって、前述したように、フレームの衝突が減少して無線ＬＡＮ効率性が増加できる。
【０１０３】
複数のターゲットＳＴＡは、ダウンリンクデータを受信した後、ＲＴＳフレームの送信チャネルと同じ周波数リソースを介してブロックＡＣＫフレームをＡＰに送信することができる。例えば、プライマリチャネルを介してＲＴＳフレーム１  ７００を受信したＳＴＡ１及びＳＴＡ２は、プライマリチャネルを介してブロックＡＣＫフレーム１  ７６０をＡＰに送信することができる。ＳＴＡ１は、即時ブロックＡＣＫ送信ＳＴＡである。ＳＴＡ２は、ＡＰからＢＡＲフレーム７７０を受信し、ブロックＡＣＫフレーム２  ７８０をＡＰに送信することができる。ＳＴＡ３は、ＡＰからセカンダリチャネルに含まれているサブバンドを介してダウンリンクデータを受信した後、セカンダリチャネルを介してブロックＡＣＫフレーム３  ７９０をＡＰに送信することができる。
【０１０４】
後述する図８のように、ＡＰがプライマリチャネルに含まれるサブバンドより多くの数のサブバンドを介して特定ＳＴＡにダウンリンクデータを送信する場合、セカンダリチャネル上にダウンリンクデータを受信するターゲットＳＴＡの個数が、プライマリチャネル上にダウンリンクデータを受信するターゲットＳＴＡの個数より多いこともある。
【０１０５】
図８は、本発明の実施例に係る媒体保護に基づくＤＬ  ＭＵ  ＯＦＤＭＡ送信方法を示す概念図である。
【０１０６】
図８では、ＲＴＳフレーム及びＣＴＳフレームベースの媒体保護手順以後、プライマリチャネル及びセカンダリチャネルの各々を介したＡＰのＤＬ  ＭＵ  ＯＦＤＭＡベースのダウンリンクデータの送信が開示される。特に、図８では、複数のチャネルの各々に含まれるサブバンドがＳＴＡ１のためのターゲットＳＴＡ割当リソースに割り当てられる場合に対して開示する。
【０１０７】
図８を参照すると、ＡＰは、プライマリチャネルを介してＳＴＡ１にダウンリンクデータを送信し、セカンダリチャネルを介してＳＴＡ１及びＳＴＡ２にダウンリンクデータを送信することができる。
【０１０８】
まず、ＡＰは、複数のチャネルの各々を介して複数のＲＴＳフレームの各々を重なった時間リソース上で送信することができる。ＡＰは、プライマリチャネル及びセカンダリチャネルの各々を介してＲＴＳフレーム１及びＲＴＳフレーム２を送信することができる。
【０１０９】
例えば、プライマリチャネルを介して送信されたＲＴＳフレーム１  ８００のＲＡフィールドは、プライマリチャネルを介してダウンリンクデータを受信するターゲットＳＴＡであるＳＴＡ１の識別子に対する情報を含むことができる。また、ＲＴＳフレーム１  ８００のＲＡフィールド（または、リソース割当フィールド）は、ターゲットＳＴＡ割当リソースに対する情報としてＳＴＡ１に対して割り当てられたサブバンド（または、リソース）に対する情報を含むことができる。例えば、ＲＴＳフレーム１  ８００のＲＡフィールド（または、リソース割当フィールド）は、プライマリチャネルに含まれている４個のサブバンドのうち、４個のサブバンドがダウンリンクデータの送信のためにＳＴＡ１に割り当てられることを指示することができる。
【０１１０】
セカンダリチャネルを介して送信されたＲＴＳフレーム２  ８１０のＲＡフィールドは、セカンダリチャネルを介してダウンリンクデータを受信するターゲットＳＴＡであるＳＴＡ１及びＳＴＡ２の識別子に対する情報を含むことができる。また、ＲＴＳフレーム２  ８１０のＲＡフィールド（または、リソース割当フィールド）は、ターゲットＳＴＡ割当リソースに対する情報としてＳＴＡ１及びＳＴＡ２に対して割り当てられたサブバンド（または、リソース）に対する情報を含むことができる。例えば、ＲＴＳフレーム２  ８１０のＲＡフィールド（または、リソース割当フィールド）は、セカンダリチャネルに含まれている４個のサブバンドのうち、１個のサブバンドがダウンリンクデータの送信のためにＳＴＡ１に割り当てられ、残りの３個のサブバンドがダウンリンクデータの送信のためにＳＴＡ２に割り当てられることを指示することができる。
【０１１１】
ＲＴＳフレーム１  ８００のＲＡフィールド上でＳＴＡ１が最も早く指示された場合、ＳＴＡ１は、プライマリチャネル及びセカンダリチャネルを介してＣＴＳフレームを送信することができる。
【０１１２】
ＳＴＡ１は、プライマリチャネルを介してＣＴＳフレームを含むＣＴＳ  ＰＰＤＵ１  ８２０を送信し、セカンダリチャネルを介してＣＴＳフレームを含むＣＴＳ  ＰＰＤＵ２  ８３０を送信することができる。ＣＴＳ  ＰＰＤＵ１及びＣＴＳ  ＰＰＤＵ２は、別途のＩＦＦＴに基づいて生成されることができる。または、ＳＴＡ１は、プライマリチャネル及びセカンダリチャネルを介してＣＴＳフレームを含む一つのＣＴＳ  ＰＰＤＵを送信することができる。
【０１１３】
ＡＰは、プライマリチャネル及びセカンダリチャネルを介してＣＴＳフレームを受信し、ダウンリンクデータをプライマリチャネル及びセカンダリチャネルを介してＳＴＡ１及びＳＴＡ２に送信することができる。
【０１１４】
ＳＴＡ１は、プライマリチャネル及びセカンダリチャネルの各々に含まれるＳＴＡ１に対して割り当てられたサブバンドを介してＡＰにより送信されるダウンリンクデータ８４０、８５０を受信し、ＳＴＡ２は、セカンダリチャネルに含まれるＳＴＡ２に割り当てられたサブバンドを介してＡＰにより送信されるダウンリンクデータ８５５を受信することができる。
【０１１５】
即時ブロックＡＣＫ送信ＳＴＡであるＳＴＡ１は、プライマリチャネルを介して受信したダウンリンクデータ８４０に対する応答としてブロックＡＣＫフレーム１  ８６０を含むブロックＡＣＫ  ＰＰＤＵ１  ８６０をプライマリチャネルを介して送信し、セカンダリチャネルを介して受信したダウンリンクデータ８５０に対する応答としてブロックＡＣＫフレーム１′  ８７０を含むブロックＡＣＫ  ＰＰＤＵ１をセカンダリチャネルを介して送信することができる。ブロックＡＣＫフレーム１  ８６０は、プライマリチャネルを介して受信したダウンリンクデータに対するＡＣＫ情報を含むことができる。ブロックＡＣＫフレーム１′  ８７０は、セカンダリチャネルを介して受信したダウンリンクデータに対するＡＣＫ情報を含むことができる。ブロックＡＣＫ  ＰＰＤＵ１及びブロックＡＣＫ  ＰＰＤＵ１′は、別途のＩＦＦＴに基づいて生成されることができる。
【０１１６】
ＳＴＡ１は、プライマリチャネル及びセカンダリチャネル上でブロックＡＣＫフレームを含む一つのブロックＡＣＫ  ＰＰＤＵを送信することもできる。プライマリチャネル及びセカンダリチャネル上で送信される一つのブロックＡＣＫ  ＰＰＤＵは、単一ＩＦＦＴに基づいて生成されて送信されることができる。一つのブロックＡＣＫ  ＰＰＤＵに含まれるブロックＡＣＫフレームは、プライマリチャネルを介して受信したダウンリンクデータ及びセカンダリチャネルを介して受信したダウンリンクデータに対するＡＣＫ情報を含むことができる。
【０１１７】
即時ブロックＡＣＫ送信ＳＴＡでないＳＴＡ２は、ＡＰからＢＡＲフレーム８８０を受信し、ＢＡＲフレーム８８０に対する応答としてブロックＡＣＫフレーム２  ８９０をＡＰに送信することができる。
【０１１８】
本発明の他の実施例によると、ＳＴＡは、複数のチャネルを介してダウンリンクデータを受信し、一つのチャネルを介して複数のチャネルを介して受信したダウンリンクデータに対するブロックＡＣＫフレームをＡＰに送信することができる。
【０１１９】
図９は、本発明の実施例に係る媒体保護に基づくＤＬ  ＭＵ  ＯＦＤＭＡ送信方法を示す概念図である。
【０１２０】
図９では、ＳＴＡが複数のチャネルを介してダウンリンクデータを受信し、一つのチャネルを介して複数のチャネルを介して受信したダウンリンクデータに対するブロックＡＣＫフレームをＡＰに送信する方法が開示される。
【０１２１】
図９を参照すると、ＳＴＡ１は、図８のようにプライマリチャネル及びセカンダリチャネルに含まれているサブバンドを介してダウンリンクデータを受信することができる。ＳＴＡ２は、セカンダリチャネルに含まれているサブバンドを介してダウンリンクデータを受信することができる。
【０１２２】
ＳＴＡ１は、ダウンリンクデータに対するブロックＡＣＫフレーム１  ９１０（または、ブロックＡＣＫフレーム１を含むブロックＡＣＫ  ＰＰＤＵ）を送信することができる。ＳＴＡ１によりプライマリチャネルを介して送信されるブロックＡＣＫフレーム１  ９１０は、プライマリチャネルを介してＳＴＡ１に送信されたダウンリンクデータ９００及びセカンダリチャネルを介してＳＴＡ１に送信されたダウンリンクデータ９２０に対するＡＣＫ情報を含むことができる。
【０１２３】
即ち、ＳＴＡ１により特定チャネルを介して送信されるブロックＡＣＫフレームは、特定チャネルだけでなく、他のチャネルを介して送信されたダウンリンクデータに対するＡＣＫ情報を含むことができる。具体的に、ＳＴＡ１によりプライマリチャネルを介して送信されるブロックＡＣＫフレーム１は、プライマリチャネルを介して受信したダウンリンクデータ及びセカンダリチャネルを介して受信したダウンリンクデータに対するＡＣＫ情報を含むことができる。
【０１２４】
ＳＴＡ２は、セカンダリチャネルを介して受信したダウンリンクデータ９３０に対するＡＣＫ情報を含むブロックＡＣＫフレーム２  ９４０をセカンダリチャネルを介してＡＰに送信することができる。
【０１２５】
図１０は、本発明の実施例に係るフレームの送信のためのＰＰＤＵフォーマットを示す概念図である。
【０１２６】
図１０では、本発明の実施例に係るＰＰＤＵフォーマットに対して開示する。図１０に開示されたＰＰＤＵフォーマットに基づいて前述したフレーム（例えば、ＲＴＳフレーム、ダウンリンクフレーム、ブロックＡＣＫフレームなど）が伝達（ｃａｒｒｙｉｎｇ）されることができる。
【０１２７】
図１０の上段を参照すると、ダウンリンクＰＰＤＵのＰＨＹヘッダは、Ｌ−ＳＴＦ（ｌｅｇａｃｙ−ｓｈｏｒｔ  ｔｒａｉｎｉｎｇ  ｆｉｅｌｄ）、Ｌ−ＬＴＦ（ｌｅｇａｃｙ−ｌｏｎｇ  ｔｒａｉｎｉｎｇ  ｆｉｅｌｄ）、Ｌ−ＳＩＧ（ｌｅｇａｃｙ−ｓｉｇｎａｌ）、ＨＥ−ＳＩＧ  Ａ（ｈｉｇｈ  ｅｆｆｉｃｉｅｎｃｙ−ｓｉｇｎａｌ  Ａ）、ＨＥ−ＳＴＦ（ｈｉｇｈ  ｅｆｆｉｃｉｅｎｃｙ−ｓｈｏｒｔ  ｔｒａｉｎｉｎｇ  ｆｉｅｌｄ）、ＨＥ−ＬＴＦ（ｈｉｇｈ  ｅｆｆｉｃｉｅｎｃｙ−ｌｏｎｇ  ｔｒａｉｎｉｎｇ  ｆｉｅｌｄ）、ＨＥ−ＳＩＧ  Ｂ（ｈｉｇｈ  ｅｆｆｉｃｉｅｎｃｙ−ｓｉｇｎａｌ−Ｂ）を含むことができる。ＰＨＹヘッダにおいて、Ｌ−ＳＩＧまではレガシ部分（ｌｅｇａｃｙ  ｐａｒｔ）と、Ｌ−ＳＩＧ以後のＨＥ（ｈｉｇｈ  ｅｆｆｉｃｉｅｎｃｙ）部分（ＨＥ  ｐａｒｔ）と、に区分されることができる。
【０１２８】
Ｌ−ＳＴＦ１０００は、短いトレーニングＯＦＤＭシンボル（ｓｈｏｒｔ  ｔｒａｉｎｉｎｇ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ  ｓｙｍｂｏｌ）を含むことができる。Ｌ−ＳＴＦ１０００は、フレーム探知（ｆｒａｍｅ  ｄｅｔｅｃｔｉｏｎ）、ＡＧＣ（ａｕｔｏｍａｔｉｃ  ｇａｉｎ  ｃｏｎｔｒｏｌ）、ダイバーシティ探知（ｄｉｖｅｒｓｉｔｙ  ｄｅｔｅｃｔｉｏｎ）、コース周波数／時間同期化（ｃｏａｒｓｅ  ｆｒｅｑｕｅｎｃｙ／ｔｉｍｅ  ｓｙｎｃｈｒｏｎｉｚａｔｉｏｎ）のために使われることができる。
【０１２９】
Ｌ−ＬＴＦ１０１０は、長いトレーニングＯＦＤＭシンボル（ｌｏｎｇ  ｔｒａｉｎｉｎｇ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ  ｓｙｍｂｏｌ）を含むことができる。Ｌ−ＬＴＦ１０１０は、ファイン周波数／時間同期化（ｆｉｎｅ  ｆｒｅｑｕｅｎｃｙ／ｔｉｍｅ  ｓｙｎｃｈｒｏｎｉｚａｔｉｏｎ）及びチャネル予測のために使われることができる。
【０１３０】
Ｌ−ＳＩＧ１０２０は、制御情報を送信するために使われることができる。Ｌ−ＳＩＧ１０２０は、データ送信率（ｒａｔｅ）、データ長さ（ｌｅｎｇｔｈ）に対する情報を含むことができる。
【０１３１】
ＨＥ−ＳＩＧ  Ａ１０３０は、ＰＰＤＵを受信するＳＴＡ（または、ＡＰ）を指示するための情報を含むこともできる。例えば、ＨＥ−ＳＩＧ  Ａ１０３０は、ＰＰＤＵを受信する特定ＳＴＡの識別子、特定ＳＴＡのグループを指示するための情報を含むことができる。また、ＨＥ−ＳＩＧ  Ａ１０３０は、ＰＰＤＵがＯＦＤＭＡまたはＭＩＭＯに基づいて送信される場合、ＳＴＡに対するリソース割当情報も含まれることができる。
【０１３２】
また、ＨＥ−ＳＩＧ  Ａ１０３０は、ＢＳＳ識別情報のためのカラービット（ｃｏｌｏｒ  ｂｉｔｓ）情報、帯域幅（ｂａｎｄｗｉｄｔｈ）情報、テールビット（ｔａｉｌ  ｂｉｔ）、ＣＲＣビット、ＨＥ−ＳＩＧ  Ｂ１０６０に対するＭＣＳ（ｍｏｄｕｌａｔｉｏｎ  ａｎｄ  ｃｏｄｉｎｇｓ  ｃｈｅｍｅ）情報、ＨＥ−ＳＩＧ  Ｂ１０６０のためのシンボル個数情報、ＣＰ（ｃｙｃｌｉｃ  ｐｒｅｆｉｘ）（または、ＧＩ（ｇｕａｒｄ  ｉｎｔｅｒｖａｌ））長さ情報を含むこともできる。
【０１３３】
また、ＨＥ−ＳＩＧ  Ａ１０３０は、ダウンリンクデータ（または、ＲＴＳフレーム、ＡＣＫフレーム）を受信するターゲットＳＴＡに対する情報及びターゲットＳＴＡ割当リソース（または、サブバンド）に対する情報を含むことができる。ターゲットＳＴＡは、指示されたターゲットＳＴＡ割当リソース（または、サブバンド）を介してＡＰからダウンリンクデータ（または、ＲＴＳフレーム、ＡＣＫフレーム）を受信することができる。
【０１３４】
ＨＥ−ＳＴＦ１０４０は、ＭＩＭＯ（ｍｕｌｔｉｌｐｌｅ  ｉｎｐｕｔ  ｍｕｌｔｉｐｌｅ  ｏｕｔｐｕｔ）環境またはＯＦＤＭＡ環境で自動利得制御推定（ａｕｔｏｍａｔｉｃ  ｇａｉｎ  ｃｏｎｔｒｏｌ  ｅｓｔｉｍａｔｉｏｎ）を向上させるために使われることができる。
【０１３５】
ＨＥ−ＬＴＦ１０５０は、ＭＩＭＯ環境またはＯＦＤＭＡ環境でチャネルを推定するために使われることができる。
【０１３６】
ＨＥ−ＳＩＧ  Ｂ１０６０は、各ＳＴＡに対するＰＳＤＵ（Ｐｈｙｓｉｃａｌ  ｌａｙｅｒ  ｓｅｒｖｉｃｅ  ｄａｔａ  ｕｎｉｔ）の長さＭＣＳに対する情報及びテールビットなどを含むことができる。また、ＨＥ−ＳＩＧ  Ｂ１０６０は、ＰＰＤＵを受信するＳＴＡに対する情報、ＯＦＤＭＡベースのリソース割当（ｒｅｓｏｕｒｃｅ  ａｌｌｏｃａｔｉｏｎ）情報（または、ＭＵ−ＭＩＭＯ情報）を含むこともできる。ＨＥ−ＳＩＧ  Ｂ１０６０にＯＦＤＭＡベースのリソース割当情報（または、ＭＵ−ＭＩＭＯ関連情報）が含まれる場合、ＨＥ−ＳＩＧ  Ａ１１３０には該当情報が含まれないこともある。
【０１３７】
ＨＥ−ＳＴＦ１０４０及びＨＥ−ＳＴＦ１０４０以後のフィールドに適用されるＩＦＦＴの大きさとＨＥ−ＳＴＦ１０４０以前のフィールドに適用されるＩＦＦＴの大きさは、互いに異なる。例えば、ＨＥ−ＳＴＦ１０４０及びＨＥ−ＳＴＦ１０４０以後のフィールドに適用されるＩＦＦＴの大きさは、ＨＥ−ＳＴＦ１０４０以前のフィールドに適用されるＩＦＦＴの大きさより４倍大きい。ＳＴＡは、ＨＥ−ＳＩＧ  Ａ１０３０を受信し、ＨＥ−ＳＩＧ  Ａ１０３０に基づいてダウンリンクＰＰＤＵの受信指示を受けることができる。このような場合、ＳＴＡは、ＨＥ−ＳＴＦ１０４０及びＨＥ−ＳＴＦ１０４０以後フィールドから変更されたＦＦＴサイズに基づいてデコーディングを実行することができる。それに対し、ＳＴＡがＨＥ−ＳＩＧ  Ａ１０３０に基づいてダウンリンクＰＰＤＵの受信指示を受けていない場合、ＳＴＡは、デコーディングを中断し、ＮＡＶ（ｎｅｔｗｏｒｋ  ａｌｌｏｃａｔｉｏｎ  ｖｅｃｔｏｒ）を設定することができる。ＨＥ−ＳＴＦ１０４０のＣＰ（ｃｙｃｌｉｃ  ｐｒｅｆｉｘ）は、他のフィールドのＣＰより大きい大きさを有することができ、このようなＣＰ区間の間に、ＳＴＡは、ＦＦＴサイズを変化させてダウンリンクＰＰＤＵに対するデコーディングを実行することができる。
【０１３８】
図１０の上段に開示されたＰＰＤＵのフォーマットを構成するフィールドの順序は、変わることもできる。例えば、図１０の中段に開示されたように、ＨＥ部分のＨＥ−ＳＩＧ  Ｂ１０１５がＨＥ−ＳＩＧ  Ａ１００５の直後に位置することもできる。ＳＴＡは、ＨＥ−ＳＩＧ  Ａ１００５及びＨＥ−ＳＩＧ  Ｂ１０１５までデコーディングし、必要な制御情報を受信し、ＮＡＶを設定することができる。同様に、ＨＥ−ＳＴＦ１０２５及びＨＥ−ＳＴＦ１０２５以後のフィールドに適用されるＩＦＦＴの大きさは、ＨＥ−ＳＴＦ１０２５以前のフィールドに適用されるＩＦＦＴの大きさと異なる。
【０１３９】
ＳＴＡは、ＨＥ−ＳＩＧ  Ａ１００５及びＨＥ−ＳＩＧ  Ｂ１０１５を受信することができる。ＨＥ−ＳＩＧ  Ａ１００５に基づいてＰＰＤＵの受信が指示される場合、ＳＴＡは、ＨＥ−ＳＴＦ１０２５からはＦＦＴサイズを変化させてＰＰＤＵに対するデコーディングを実行することができる。それに対し、ＳＴＡは、ＨＥ−ＳＩＧ  Ａ１００５を受信し、ＨＥ−ＳＩＧ  Ａ１００５に基づいてダウンリンクＰＰＤＵの受信が指示されない場合、ＮＡＶ（ｎｅｔｗｏｒｋ  ａｌｌｏｃａｔｉｏｎ  ｖｅｃｔｏｒ）を設定することができる。
【０１４０】
図１０の下段を参照すると、ＤＬ  ＭＵ送信のためのＰＰＤＵフォーマット（ＤＬ  ＭＵ  ＰＰＤＵフォーマット）が開示される。ＤＬ  ＭＵ  ＰＰＤＵは、互いに異なる送信リソース（周波数リソース（チャネル、サブバンド）または空間的ストリーム）を介して複数のＳＴＡにダウンリンクデータを送信するために使われることができる。
【０１４１】
前述したように、ＡＰは、重なった時間リソース上で、プライマリチャネルを介して複数のターゲットＳＴＡに対するダウンリンクフレーム１を送信し、セカンダリチャネルを介して複数のターゲットＳＴＡに対するダウンリンクフレーム２を送信することができる。ダウンリンクフレーム１を伝達するダウンリンクＰＰＤＵ１及びダウンリンクフレーム２を伝達するダウンリンクＰＰＤＵ２が各々図１０の下段に開示されたＤＬ  ＭＵ送信のためのＰＰＤＵフォーマットを有することができる。ダウンリンクＰＰＤＵ１のＨＥ−ＳＩＧ  Ａ１０３５は、プライマリチャネルを介してダウンリンクデータを受信するターゲットＳＴＡの識別子に対する情報及びターゲットＳＴＡ割当サブバンドに対する情報を含むことができる。ダウンリンクＰＰＤＵ２のＨＥ−ＳＩＧ  Ａ１０３５は、セカンダリチャネルを介してダウンリンクデータを受信するターゲットＳＴＡの識別子に対する情報及びターゲットＳＴＡ割当サブバンドに対する情報を含むことができる。
【０１４２】
同様に、複数のチャネル（例えば、プライマリチャネル及びセカンダリチャネル）上で単一ＩＦＦＴプロセスに基づいて生成された一つのＤＬ  ＭＵ  ＰＰＤＵは、複数のチャネルを介してターゲットＳＴＡにダウンリンクデータを送信することができる。複数のチャネル上で単一ＩＦＦＴプロセスに基づいて生成されたＤＬ  ＭＵ  ＰＰＤＵフォーマットの一つのＰＰＤＵのＰＰＤＵヘッダのＨＥ−ＳＩＧ  Ａ１０３５は、複数のチャネル上でダウンリンクデータを受信するターゲットＳＴＡ及び複数のチャネルに含まれるサブバンドのうちターゲットＳＴＡに割り当てられたサブバンドに対する情報を含むことができる。
【０１４３】
このようなＤＬ  ＭＵ  ＰＰＤＵフォーマットは、ダウンリンクフレームの送信だけでなく、複数のＳＴＡにＲＴＳフレームの送信及びブロックＡＣＫフレームの送信のためにも使われることができる。
【０１４４】
ＰＰＤＵ上でＨＥ−ＳＩＧ  Ｂ１０４５の以前フィールドは、互いに異なる送信リソースの各々でデュプリケートされた形態で送信されることができる。ＨＥ−ＳＩＧ  Ｂ１０４５は、全体送信リソース上でエンコーディングされた形態で送信されることができる。または、ＨＥ−ＳＩＧ  Ｂ１０４５は、レガシ部分と同じ単位（例えば、２０ＭＨｚ）でエンコーディングされ、全体送信リソース上で２０ＭＨｚ単位でデュプリケートされて送信されることができる。ＨＥ−ＳＩＧ  Ｂ１０４５は、レガシ部分と同じ単位（例えば、２０ＭＨｚ）でエンコーディングされ、全体送信リソース上に含まれる複数の２０ＭＨｚ単位の各々を介して送信されるＨＥ−ＳＩＧ  Ｂ１０４５は、互いに異なる情報を含むこともできる。
【０１４５】
ＨＥ−ＳＩＧ  Ｂ１０４５以後のフィールドは、ＰＰＤＵを受信する複数のＳＴＡの各々のための個別情報を含むことができる。
【０１４６】
ＰＰＤＵに含まれるフィールドが送信リソースの各々を介して各々送信される場合、フィールドの各々に対するＣＲＣがＰＰＤＵに含まれることができる。それに対し、ＰＰＤＵに含まれる特定フィールドが全体送信リソース上でエンコーディングされて送信される場合、フィールドの各々に対するＣＲＣがＰＰＤＵに含まれないこともある。したがって、ＣＲＣに対するオーバーヘッドが減少されることができる。
【０１４７】
ＤＬ  ＭＵ送信のためのＰＰＤＵフォーマットも同様に、ＨＥ−ＳＴＦ１０５５及びＨＥ−ＳＴＦ１０５５以後のフィールドは、ＨＥ−ＳＴＦ１０５５以前のフィールドと異なるＩＦＦＴサイズに基づいてエンコーディングされることができる。したがって、ＳＴＡは、ＨＥ−ＳＩＧ  Ａ１０３５及びＨＥ−ＳＩＧ  Ｂ１０４５を受信し、ＨＥ−ＳＩＧ  Ａ１０３５に基づいてＰＰＤＵの受信指示を受けた場合、ＨＥ−ＳＴＦ１０５５からはＦＦＴサイズを変化させてＰＰＤＵに対するデコーディングを実行することができる。
【０１４８】
図１１は、本発明の実施例に係るＲＴＳフレームフォーマットを示す概念図である。
【０１４９】
図１１を参照すると、ＲＴＳフレームは、フレーム制御フィールド１１００、デュレーションフィールド１１１０、ＲＡ（ｒｅｃｅｉｖｅｒ  ａｄｄｒｅｓｓ）フィールド１１２０、ＴＡ（ｔｒａｎｓｍｉｔｔｅｒ  ａｄｄｒｅｓｓ）フィールド１１３０及びＦＣＳ（ｆｒａｍｅ  ｃｈｅｃｋ  ｓｅｑｕｅｎｃｅ）フィールド１１４０を含むことができる。
【０１５０】
フレーム制御フィールド１１００は、ＲＴＳフレームを指示するための情報を含むことができる。
【０１５１】
デュレーションフィールド１１１０は、ＣＴＳフレーム、複数のＳＴＡの各々に送信されるダウンリンクフレーム、ＡＣＫフレームの送信のためのデュレーション情報を含むことができる。
【０１５２】
ＲＡフィールド１１２０は、ターゲットＳＴＡの識別情報を含むことができる。
【０１５３】
例えば、ＲＡフィールド１１２０は、４８ビット（６オクテット（ｏｃｔｅｔｓ））のフィールドである。最大４個のターゲットＳＴＡにダウンリンクデータが送信される場合、一つのターゲットＳＴＡ当たり１２ビットが割り当てられることができる。４８ビットに含まれる１２ビットの各々は、ターゲットＳＴＡの識別情報を含むことができる。
【０１５４】
または、ＲＡフィールド１１２０は、ターゲットＳＴＡの識別情報及びターゲットＳＴＡ割当サブバンド（または、リソース）に対する情報を含むことができる。例えば、１２ビットは、ターゲットＳＴＡ割当サブバンド（０〜２ビット）とＳＴＡの部分ＩＤ（９〜１０ビット）を含むことができる。
【０１５５】
ＴＡフィールド１１３０は、ＲＴＳフレームを送信するＡＰのアドレスを含むことができる。
【０１５６】
ＦＣＳフィールド１１４０は、フレームの有効性の確認のための情報を含むことができる。
【０１５７】
図１２は、本発明の実施例が適用されることができる無線装置を示すブロック図である。
【０１５８】
図１２を参照すると、無線装置１２００は、前述した実施例を具現することができるＳＴＡであって、ＡＰ１２００または非ＡＰ  ＳＴＡ（ｎｏｎ−ＡＰ  ｓｔａｔｉｏｎ）（または、ＳＴＡ）１２５０である。
【０１５９】
ＡＰ１２００は、プロセッサ１２１０、メモリ１２２０及びＲＦ部（ｒａｄｉｏ  ｆｒｅｑｕｅｎｃｙ  ｕｎｉｔ）１２３０を含む。
【０１６０】
ＲＦ部１２３０は、プロセッサ１２１０と連結して無線信号を送信／受信することができる。
【０１６１】
プロセッサ１２１０は、本発明で提案された機能、過程及び／または方法を具現することができる。例えば、プロセッサ１２１０は、前述した本発明の実施例に係るＡＰの動作を実行するように具現されることができる。プロセッサは、図１乃至１１の実施例で開示したＡＰの動作を実行することができる。
【０１６２】
例えば、プロセッサ１２１０は、第１のチャネル（例えば、プライマリチャネル）を介して第１のＲＴＳ（ｒｅｑｕｅｓｔ  ｔｏ  ｓｅｎｄ）フレームを複数の第１のターゲットＳＴＡに送信し、第１のチャネルを介して第１のＲＴＳフレームに対する応答として第１のＣＴＳ（ｃｌｅａｒ  ｔｏ  ｓｅｎｄ）フレームを複数の第１のターゲットＳＴＡのうち一つの第１のターゲットＳＴＡから受信するように具現されることができる。一つの第１のターゲットＳＴＡは、複数の第１のターゲットＳＴＡの各々に対する識別情報の順序に基づいて決定されることができる。また、複数の第１のターゲットＳＴＡの各々に対する複数の第１のダウンリンクデータの各々を一つの第１のデータフレーム上で第１のチャネルに含まれる複数の第１のサブバンドの各々を介して複数の第１のターゲットＳＴＡの各々に送信するように具現されることができる。第１のＲＴＳフレームは、複数の第１のターゲットＳＴＡの各々に対する識別情報を含むことができる。また、第１のＲＴＳフレームは、複数の第１のターゲットＳＴＡの各々に割り当てられた複数の第１のサブバンドの各々に対する情報をさらに含むことができる。
【０１６３】
また、プロセッサ１２１０は、一つの第１のデータフレームの送信後、一つの第１のターゲットＳＴＡから第１のブロックＡＣＫフレームを受信し、複数の第１のターゲットＳＴＡのうち一つの第１のターゲットＳＴＡを除外した残りの第１のターゲットＳＴＡの各々からＢＡＲ（ｂｌｏｃｋ  ａｃｋｎｏｗｌｅｄｇｅｍｅｎｔ  ｒｅｑｕｅｓｔ）フレームに対する応答として第２のブロックＡＣＫフレームを受信するように具現されることができる。第１のブロックＡＣＫフレームは、複数の第１のダウンリンクデータのうち一つの第１のターゲットＳＴＡに対する第１のダウンリンクデータに対するＡＣＫ情報を含み、第２のブロックＡＣＫフレームは、複数の第１のダウンリンクデータのうち残りのターゲットＳＴＡに対する第１のダウンリンクデータに対するＡＣＫ情報を含むことができる。
【０１６４】
また、プロセッサ１２１０は、第１のＲＴＳフレームの送信時間リソースと重なった時間リソース上で第２のチャネルを介して第２のＲＴＳフレームを複数の第２のターゲットＳＴＡに送信し、第２のチャネルを介して第１のＣＴＳフレームの受信時間リソースと重なった時間リソース上で第２のＲＴＳフレームに対する応答として第２のＣＴＳフレームを複数の第２のターゲットＳＴＡのうち一つの第２のターゲットＳＴＡから受信するように具現されることができる。また、プロセッサ１２１０は、複数の第１のダウンリンクデータの各々の送信時間リソースと重なった時間リソース上で複数の第２のターゲットＳＴＡの各々に対する複数の第２のダウンリンクデータの各々を一つの第２のデータフレーム上で第２のチャネルに含まれる複数の第２のサブバンドの各々を介して複数の第２のターゲットＳＴＡの各々に送信するように具現されることができる。第２のＲＴＳフレームは、複数の第２のターゲットＳＴＡの各々に対する識別情報を含むことができる。
【０１６５】
ＳＴＡ１２５０は、プロセッサ１２６０、メモリ１２７０及びＲＦ部（ｒａｄｉｏ  ｆｒｅｑｕｅｎｃｙ  ｕｎｉｔ）１１８０を含む。
【０１６６】
ＲＦ部１２８０は、プロセッサ１２６０と連結して無線信号を送信／受信することができる。
【０１６７】
プロセッサ１２６０は、本発明で提案された機能、過程及び／または方法を具現することができる。例えば、プロセッサ１２２０は、前述した本発明の実施例に係るＳＴＡの動作を実行するように具現されることができる。プロセッサは、図１乃至図１１の実施例でＳＴＡの動作を実行することができる。
【０１６８】
例えば、プロセッサ１２６０は、ＲＴＳフレームをＡＰから受信し、ＲＴＳフレームに含まれているターゲットＳＴＡに対する識別情報及び／またはターゲットＳＴＡの各々に割り当てられた複数のサブバンドの各々に対する情報に基づいてＣＴＳフレームをＡＰに送信するかどうかを決定することができる。また、プロセッサ１２６０は、ＲＴＳフレームまたはダウンリンクデータフレームを伝達するダウンリンクＰＰＤＵのＰＰＤＵヘッダに基づいて指示されたサブバンドを介してダウンリンクデータを受信するように具現されることができる。また、プロセッサ１２６０は、ＲＴＳフレームに含まれているターゲットＳＴＡに対する識別情報及び／または第１のターゲットＳＴＡの各々に割り当てられた複数の第１のサブバンドの各々に対する情報に基づいてダウンリンクデータの受信後、一定時間（例えば、ＳＩＦＳ（ｓｈｏｒｔ  ｉｎｔｅｒｆｒａｍｅ  ｓｐａｃｅ））後にブロックＡＣＫフレームを送信するか、またはＢＡＲフレームの受信以後ブロックＡＣＫフレームを送信するかを決定することができる。
【０１６９】
プロセッサ１２１０、１２６０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、データ処理装置及び／またはベースバンド信号及び無線信号を相互変換する変換器を含むことができる。メモリ１２２０、１２７０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部１２３０、１２８０は、無線信号を送信及び／または受信する一つ以上のアンテナを含むことができる。
【０１７０】
実施例がソフトウェアで具現される時、前述した技法は、前述した機能を遂行するモジュール（過程、機能など）で具現されることができる。モジュールは、メモリ１２２０、１２７０に格納され、プロセッサ１２１０、１２６０により実行されることができる。メモリ１２２０、１２７０は、プロセッサ１２１０、１２６０の内部または外部にあり、よく知られた多様な手段でプロセッサ１２１０、１２６０と連結されることができる。
【図１】
0006374533.tif 000002
【図２（Ａ）】
0006374533.tif 000003
【図２（Ｂ）】
0006374533.tif 000004
【図３】
0006374533.tif 000005
【図４】
0006374533.tif 000006
【図５】
0006374533.tif 000007
【図６】
0006374533.tif 000008
【図７】
0006374533.tif 000009
【図８】
0006374533.tif 000010
【図９】
0006374533.tif 000011
【図１０】
0006374533.tif 000012
【図１１】
0006374533.tif 000013
【図１２】
0006374533.tif 000014